(57)【特許請求の範囲】
【請求項１】
無線通信システムのアクセス端末であって、該アクセス端末は下記を備える：
無線通信を送信および受信するように構成された１つ以上のアンテナ；
前記アンテナに結合されたトランシーバ；
前記アクセス端末からの同時送信に使用可能な複数の無線キャリアの各キャリア上での不連続アップリンク送信のために共通タイミングパラメータを識別するデータを記憶するメモリ；および
前記トランシーバおよび前記メモリに結合されたプロセッサ：
なお、該プロセッサは、下記を実行するように構成される：
前記複数の無線キャリアのうちの第１のキャリアと関連付けられるべき第１の動作可能な状態を識別すること；
前記複数の無線キャリアのうちの第２のキャリアと関連付けられるべき前記第１の動作可能な状態とは異なる第２の動作可能な状態を識別すること；および
前記トランシーバに、前記共通タイミングパラメータに従って、前記第１の動作可能な状態で前記第１のキャリア上で、且つ、前記第２の動作可能な状態で前記第２のキャリア上で、同時に動作させること、ここにおいて、前記第１の動作可能な状態はデータ送信状態を備え、前記第２の動作可能な状態は非アクティブデータ送信期間中の周期的バースト状態を備え、または、前記第１の動作可能な状態は非アクティブデータ送信期間中の第１の周期的バースト状態を備え、前記第２の動作可能な状態は、非アクティブデータ送信期間中の第２の周期的バースト状態を備え、ここにおいて、前記第１の周期的バースト状態よりも前記第２の周期的バースト状態において、複数のバースト間の持続時間は長い。
【請求項２】
前記共通タイミングパラメータは、非アクティブデータ送信期間中のバースト送信に対して、同一のバースト長を備える、請求項１に記載のアクセス端末。
【請求項３】
前記共通タイミングパラメータは、非アクティブデータ送信期間中の、同一のバースト間の時間を備える、請求項１に記載のアクセス端末。
【請求項４】
前記共通タイミングパラメータは、
第１の非アクティブデータ送信期間中の複数のバースト間の、同一の第１の時間と、  第２の非アクティブデータ送信期間中の複数のバースト間の、前記第１の時間よりも長い、同一の第２の時間とを備え
前記第２の非アクティブ期間は、非アクティブタイマが閾値を超えると、それぞれのキャリアに対して発生する、請求項１に記載のアクセス端末。
【請求項５】
前記共通タイミングパラメータは、同一の比アクティブ閾値を備える前記閾値を備える、請求項６に記載のアクセス端末。
【請求項６】
前記第１の動作可能な状態および前記第２の動作可能な状態は、共通および同期送信タイミングインターバルを有する、請求項１に記載のアクセス端末。
【請求項７】
前記第１のキャリアおよび前記第２のキャリアは、隣接キャリアを備える、請求項１に記載のアクセス端末。
【請求項８】
前記プロセサは、さらに、
前記複数の無線キャリアのうちの第３のキャリアと関連付けられるべき前記第２の動作可能な状態を識別し、
前記トランシーバに、前記共通タイミングパラメータに従って、前記第２の動作可能な状態で前記第３のキャリア上で動作させる
ように構成される、請求項１に記載のアクセス端末。
【請求項９】
前記プロセッサは、前記トランシーバに、前記第２の動作可能な状態で前記第２のキャリア上で、且つ、前記第２の動作可能な状態で前記第３のキャリア上で、同時に動作させるように構成され、前記第２のキャリアおよび前記第３のキャリアは、共通および同期送信タイミングインターバルを有する、請求項１に記載のアクセス端末。
【請求項１０】
前記プロセッサは、さらに、
前記アクセス端末において前記第１のキャリア上で、前記第１の動作可能な状態についてのスケジュール情報を受信し、
前記アクセス端末において、前記第２のキャリア上で、前記第２の動作可能な状態についてのスケジュール情報を受信する
ように構成される、請求項１に記載のアクセス端末。
【請求項１１】
複数の無線キャリア上での不連続アップリンク送信のためのデバイスであって、該デバイスは、下記を備える：
前記デバイスからの同時送信に使用可能な複数の無線キャリアの各キャリア上での不連続アップリンク送信に使用されるべき共通タイミングパラメータを識別するための手段；  前記複数の無線キャリアのうちの第１のキャリアと関連付けられるべき第１の動作可能な状態を識別するための手段；
前記複数の無線キャリアのうちの第２のキャリアと関連付けられるべき、前記第１の動作可能な状態とは異なる第２の動作可能な状態を識別するための手段；
前記第１のキャリアが、前記共通タイミングパラメータに従って、前記第１の動作可能な状態で動作されるようにするための手段；および
前記第２のキャリアが、前記共通タイミングパラメータに従って、前記第２の動作可能な状態で動作されるようにするための手段、ここにおいて、前記第２のキャリアは、前記第１の動作可能な状態で動作されている前記第１のキャリアと同時に、前記第２の動作可能な状態で動作される、ここにおいて、前記第１の動作可能な状態はデータ送信状態を備え、前記第２の動作可能な状態は非アクティブデータ送信期間中の周期的バースト状態を備え、または、前記第１の動作可能な状態は非アクティブデータ送信期間中の第１の周期的バースト状態を備え、前記第２の動作可能な状態は、非アクティブデータ送信期間中の第２の周期的バースト状態を備え、ここにおいて、前記第１の周期的バースト状態よりも前記第２の周期的バースト状態において、複数のバースト間の持続時間は長い。
【請求項１２】
前記第１の動作可能な状態および前記第２の動作可能な状態は、共通送信タイミングインターバルを有する、請求項１に記載のデバイス。
【請求項１３】
プロセッサ読取可能記録媒体ただし、該コンピュータ読取可能記録媒体は、プロセッサ読取可能命令を備え、該命令は、プロセッサに、下記を実行させるように構成される：
アクセス端末からの同時送信に使用可能な複数の無線キャリアの各キャリア上での不連続アップリンク送信に使用されるべき共通タイミングパラメータを識別すること；
前記複数の無線キャリアのうちの第１のキャリアと関連付けられるべき第１の動作可能な状態を識別すること；
前記複数の無線キャリアのうちの第２のキャリアと関連付けられるべき、前記第１の動作可能な状態とは異なる第２の動作可能な状態を識別すること；
前記第１のキャリアを、前記共通タイミングパラメータに従って、前記第１の動作可能な状態で動作させること；および
前記第２のキャリアを、前記共通タイミングパラメータに従って、前記第２の動作可能な状態で動作させること、ここにおいて、前記第１の動作可能な状態はデータ送信状態を備え、前記第２の動作可能な状態は非アクティブデータ送信期間中の周期的バースト状態を備え、または、前記第１の動作可能な状態は非アクティブデータ送信期間中の第１の周期的バースト状態を備え、前記第２の動作可能な状態は、非アクティブデータ送信期間中の第２の周期的バースト状態を備え、ここにおいて、前記第１の周期的バースト状態よりも前記第２の周期的バースト状態において、複数のバースト間の持続時間は長い。
【請求項１４】
前記第１のキャリアに、前記第１の動作可能な状態で動作させることを、前記プロセッサに引き起こさせるように構成された前記プロセッサ読取可能命令は、前記プロセッサに、前記第１の動作可能な状態のスケジュール情報を前記アクセス端末に送信させる命令を備え、
前記第２のキャリアに、前記第２の動作可能な状態で動作させることを、前記プロセッサに引き起こさせるように構成された前記プロセッサ読取可能命令は、前記プロセッサに、前記第２の動作可能な状態のスケジュール情報を前記アクセス端末に送信させる命令を備える、請求項１３に記載のコンピュータ読取可能記録媒体。
【請求項１５】
前記プロセッサ読取可能命令は、前記プロセッサに、下記を実行させる命令をさらに備える、請求項１３に記載のコンピュータ読取可能記録媒体：
前記アクセス端末において前記第１のキャリア上で前記第１の動作可能な状態についてのスケジュール情報を受信すること；および
前記アクセス端末において前記第２のキャリア上で前記第２の動作可能な状態についてのスケジュール情報を受信すること。
【請求項１６】
前記コンピュータプログラム製品は、前記アクセス端末を備える、請求項１３に記載のコンピュータ読取可能記録媒体。
【請求項１７】
複数の無線キャリア上での不連続アップリンク送信を確立するためのプロセッサであって、該プロセッサは下記を備える：
アクセス端末からの同時送信に使用可能な複数の無線キャリアの各キャリア上での不連続アップリンク送信に使用されるべき共通タイミングパラメータを識別するように構成されたパラメータコントローラ；
前記パラメータに結合され、下記を実行するように構成された第１のキャリア状態コントローラ； 
前記複数の無線キャリアのうちの第１のキャリアと関連付けられるべき第１の動作可能な状態を識別すること；および
前記第１のキャリアに、前記共通タイミングパラメータに従って、前記第１の動作可能な状態で動作させること； および
前記パラメータコントローラに結合され、下記を実行するように構成された第２のキャリア状態コントローラ：
前記複数の無線キャリアのうちの第２のキャリアと関連付けられるべき、前記第１の動作可能な状態とは異なる第２の動作可能な状態を識別すること；および
前記第２のキャリアに、前記共通タイミングパラメータに従って、前記第２の動作可能な状態で動作させること、ここにおいて、前記第１の動作可能な状態はデータ送信状態を備え、前記第２の動作可能な状態は非アクティブデータ送信期間中の周期的バースト状態を備え、または、前記第１の動作可能な状態は非アクティブデータ送信期間中の第１の周期的バースト状態を備え、前記第２の動作可能な状態は、非アクティブデータ送信期間中の第２の周期的バースト状態を備え、ここにおいて、前記第１の周期的バースト状態よりも前記第２の周期的バースト状態において、複数のバースト間の持続時間は長い。
【請求項１８】
前記プロセッサは、通信的に、下記を実行するように構成されたメモリに結合される、請求項１７に記載のプロセッサ：
前記アクセス端末からの同時送信に使用可能な前記複数の無線キャリアの各キャリア上での不連続アップリンク送信に使用されるべき共通タイミングパラメータを記憶すること；および
前記アクセス端末において前記第１のキャリア上で前記第１の動作可能な状態についてのスケジュール情報を記憶し、前記アクセス端末において前記第２のキャリア上で前記第２の動作可能な状態についてのスケジュール情報を記憶すること。
【請求項１９】
前記プロセッサは、前記アクセス端末を備える、請求項１７に記載のプロセッサ。
【請求項２０】
複数の無線キャリア上での不連続アップリンク送信のための方法であって、該方法は、下記を備える：
アクセス端末からの同時送信に使用可能な複数の無線キャリアの各キャリア上での不連続アップリンク送信のために共通タイミングパラメータを確立すること；
前記複数の無線キャリアのうちの第１のキャリア上で前記アクセス端末についての第１の動作可能な状態を識別すること；および
前記複数の無線キャリアのうちの第２のキャリア上で前記アクセス端末についての、前記第１の動作可能な状態とは異なる第２の動作可能な状態を識別すること、ここにおいて、前記第１のキャリア上の前記第１の動作可能な状態は、前記第２のキャリア上の前記第２の動作可能な状態と同時に動作するようにスケジュールされる、ここにおいて、前記第１の動作可能な状態はデータ送信状態を備え、前記第２の動作可能な状態は非アクティブデータ送信期間中の周期的バースト状態を備え、または、前記第１の動作可能な状態は非アクティブデータ送信期間中の第１の周期的バースト状態を備え、前記第２の動作可能な状態は、非アクティブデータ送信期間中の第２の周期的バースト状態を備え、ここにおいて、前記第１の周期的バースト状態よりも前記第２の周期的バースト状態において、複数のバースト間の持続時間は長い。
【請求項２１】
下記をさらに備える請求項２０に記載の方法：
前記アクセス端末に、前記第１の動作可能な状態で前記第１のキャリア上で動作させ、且つ、同時に、前記第２の動作可能な状態で前記第２のキャリア上で動作させること。
【請求項２２】
前記第１の動作可能な状態および前記第２の動作可能な状態は、同期送信タイミングインターバルを有する、請求項２０に記載の方法。
【請求項２３】
前記共通タイミングパラメータを確立することは、非アクティブデータ送信期間中の前記第１のキャリアおよび前記第２のキャリアバースト送信に対して同一のバースト長を設定することを備える、請求項２０に記載の方法。
【請求項２４】
前記共通タイミングパラメータを確立することは、非アクティブデータ送信期間中の複数のバースト間の、同一の時間を設定することを備える、請求項２３に記載の方法。
【請求項２５】
前記共通タイミングパラメータを確立することは、下記を備える、請求項２３に記載の方法：
前記第１のキャリアおよび前記第２のキャリアに対して、第１の非アクティブデータ送信期間中の複数のバースト間の、同一の第１の時間を識別すること；および
前記第２のキャリアおよび前記第２のキャリアに対して、第２の非アクティブデータ送信期間中の複数のバースト間の、同一の第２の時間を識別すること。
【請求項２６】
前記共通タイミングパラメータを確立することは、同一の非アクティブ閾値を確立することを備える、ここにおいて、前記非アクティビティ閾値を超えることは、前記複数のキャリアのそれぞれのキャリアに対する非アクティブデータ送信期間中の複数のバースト間の時間を拡張する、請求項２３に記載の方法。
【請求項２７】
前記第１のキャリアおよび第２のキャリアを、それらが隣接キャリアであるため、選択することをさらに備える、請求項２３に記載の方法。
【請求項２８】
下記をさらに備える、請求項２３に記載の方法：
前記複数の無線キャリアのうちの第３のキャリアと関連付けられるべき前記第２の動作可能な状態を識別すること；および
前記第３のキャリアに、前記共通タイミングパラメータに従って、前記第２の動作可能な状態で動作させること。
【請求項２９】
下記をさらに備える、請求項２３に記載の方法：
前記第２のキャリアに、前記第２の動作可能な状態で動作させ、前記第３のキャリアに、同時に、前記第２の動作可能な状態で動作させること。
【請求項３０】
前記方法は、基地局コントローラによって実行される、請求項２３に記載の方法。
【請求項３１】
無線通信システムの基地局コントローラであって、該基地局コントローラは下記を備える：
有線通信ネットワークと通信するように構成されたネットワークインターフェース；  １つ以上のトランシーバ基地局と無線で通信するように構成されたトランシーバ基地局インターフェース；および
下記を記憶するメモリ：
アクセス端末からの同時送信に使用可能な複数の無線キャリアの各キャリア上での不連続アップリンク送信に使用されるべき共通タイミングパラメータ；
前記アクセス端末から不連続アップリンク送信を実行するための複数の動作可能な状態；および
下記を実行するように構成されたプロセッサ：
定義された持続時間の間、第１のアップリンク送信が、前記共通タイミングパラメータに従って、複数の動作可能な状態のうちの第１の動作可能な状態で、前記複数の無線キャリアのうちの第１のキャリア上で、前記アクセス端末から実行されるであろうことを識別すること；および
定義された持続時間の間、第２のアップリンク送信が、前記共通タイミングパラメータに従って、複数の動作可能な状態のうちの第２の動作可能な状態で、前記複数の無線キャリアのうちの第２のキャリア上で、前記アクセス端末から実行されるであろうことを識別すること、ここにおいて、前記第１の動作可能な状態はデータ送信状態を備え、前記第２の動作可能な状態は非アクティブデータ送信期間中の周期的バースト状態を備え、または、前記第１の動作可能な状態は非アクティブデータ送信期間中の第１の周期的バースト状態を備え、前記第２の動作可能な状態は、非アクティブデータ送信期間中の第２の周期的バースト状態を備え、ここにおいて、前記第１の周期的バースト状態よりも前記第２の周期的バースト状態において、複数のバースト間の持続時間は長い。
【請求項３２】
前記プロセッサは、下記を実行するようにさらに構成される、請求項３１に記載の基地局コントローラ：
前記第１の動作可能な状態のスケジュール情報が、前記アクセス端末に送信されるようにすること：および
前記第２の動作可能な状態のスケジュール情報が、前記アクセス端末に送信されるようにすること。
【発明の詳細な説明】
【背景技術】
【０００１】
本出願は、全ての目的に対して参照により本明細書に組み込まれる、２００９年３月１６日に出願された「DISCONTINUOUS UPLINK TRANSMISSION OPERATION AND INTERFERENCE AVOIDANCE FOR A MULTI-CARRIER SYSTEM」と題する米国仮出願６１／１６０，６４５号の利益を主張する。
【０００２】
下記は一般に、無線通信に関し、さらに詳細には、マルチキャリア無線通信システムのためのマルチキャリアアップリンク動作の制御に関する。無線通信システムは、音声、ビデオ、パケットデータ、メッセージング、ブロードキャストなど、様々なタイプの通信コンテンツを提供するために広く展開される。これらのシステムは、利用可能なシステムリソース（例えば、時間、周波数、および電力）を共有することによって複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、および、直交周波数分割多元接続（ＯＦＤＭＡ）システムを含む。
【０００３】
一般に、無線多元接続通信システムは、複数のモバイル局の通信を同時にサポートするために多数の基地局を含みうる。各モバイル局は、順方向リンクおよび逆方向リンク上の伝送を介して１つ以上の基地局と通信する。「ダウンリンク」への言及は、基地局から端末への通信リンクを指し、「アップリンク」への言及は、端末から基地局への通信リンクを指す。システムは、複数のキャリア上の動作をサポートしうる。各キャリアは、特定の中心周波数および特定の帯域幅と関連付けられうる。各キャリアは、そのキャリア上の動作をサポートするためにパイロットおよびオーバヘッド情報を搬送し、そのキャリア上で動作する端末についてのデータを搬送しうる。
【０００４】
典型的に、双方向会話の場合、各パーティは、通信システムがパーティのスピーチを送信する、何らかの長さの時間の間（例えば、全時間の半分以下）、話し、通信システムがサイレンスまたは背景ノイズを送信する他の時間の間、停止する。サイレンス（または、背景ノイズ）期間中の不連続送信（ＤＴＸ）は、会話の知覚品質にわずかな影響を及ぼすが、セル内／セル間干渉を減少させ（よって、潜在的にシステム容量を増加させ）、会話に使用されるモバイル端末のバッテリ電力を節約しうる。モバイル端末からのアップリンクで複数のキャリアが使用されうる場合、ＤＴＸの構成は、複数の課題を提示しうる。
【発明の概要】
【０００５】
記述される特徴は一般に、不連続アップリンク送信のための１つ以上の改善されたシステム、方法、および／または、装置に関する。記述される方法および装置の適用性のさらなる範囲は、次に続く発明の詳細な説明、特許請求の範囲、および図面から明らかとなるであろう。発明の詳細な説明および特定の例は、本記述の精神および範囲内の様々な変更および修正が当業者に明白になりうることから、実例としてのみ与えられる。
【０００６】
無線通信システムにおける不連続マルチキャリアアップリンク管理のためのシステム、方法、デバイス、およびコンピュータプログラム製品が記述される。一例において、アクセス端末から同時に送信される２つ以上の無線キャリアの各キャリア上での不連続アップリンク送信に関して用いるための共通タイミングパラメータが識別される。第１の動作可能な状態（例えば、データ送信状態）は、第１の無線キャリアと関連付けられる。第２の、異なる状態（例えば、非アクティブデータ送信期間中の周期的バースト状態）は、第２の無線キャリアと関連付けられる。第２のキャリアは、第１の動作可能な状態で動作される第１のキャリアと同時に、第２の動作可能な状態で動作し、各キャリアは、共通タイミングパラメータに従って動作される。
【０００７】
不連続マルチキャリアアップリンク通信のための例示的なアクセス端末は、無線通信を送信および受信するように構成された１つ以上のアンテナと、そのアンテナに結合されたトランシーバと、アクセス端末からの同時送信に使用可能な複数の無線キャリアの各キャリア上での不連続アップリンク送信に関して使用されるべき共通タイミングパラメータを識別するデータを記憶するように構成されたメモリとを含む。その例示的なアクセス端末は、さらに、トランシーバおよびメモリに結合されたプロセッサを含み、且つ、複数の無線キャリアのうちの第１のキャリアと関連付けられるべき第１の動作可能な状態を識別し、複数の無線キャリアのうちの第２のキャリアと関連付けられるべき、第１の動作可能な状態とは異なる第２の動作可能な状態を識別し、トランシーバに、第２のキャリア上で第２の動作可能な状態で動作すると同時に、且つ、共通パイロットパラメータに従って、第１のキャリア上で第１の動作可能な状態で動作させるように構成される。
【０００８】
そのようなアクセス端末の例は、次の特徴のうの１つ以上を含みうる：第１の動作可能な状態は、データ送信状態を備え、第２の動作可能な状態は、非アクティブデータ送信期間中の周期的バースト状態を備える；あるいは、第１の動作可能な状態は、非アクティブデータ送信期間中の第１の周期的バースト状態を備え、第２の動作可能な状態は、非アクティブデータ送信期間中の第２の周期的バースト状態を備え、ここにおいて、第１の周期的バースト状態よりも第２の周期的バースト状態において、バースト間の持続時間が長い。第１の動作可能な状態および第２の動作可能な状態は、共通および同期送信タイミングインターバルを有しうる。
【０００９】
さらに、または、あるいは、そのようなアクセス端末は、共通タイミングパラメータが、非アクティブデータ送信期間中のバースト送信に対する同じバースト長、非アクティブデータ送信期間中のバースト間の同一時間、および、第１の非アクティブデータ送信期間中の、同一の第１の時間および、第２の非アクティブデータ送信期間中のバースト間の、第１の時間よりも長い、同一の第２の時間を含む例を含み、第２の非アクティブ期間は、非アクティビティタイマが閾値を超える場合に、それぞれのキャリアに対して発生する。閾値は、共通非アクティビティ閾値でありうる。
【００１０】
さらに、または、あるいは、第１のキャリアおよび第２のキャリアは、隣接キャリアであり、１つ以上のさらなるキャリアが存在しうる。いくつかの例において、第１および第２のキャリアの間に、さらなる未使用キャリアが存在しうる。そのようなアクセス端末は、プロセッサが、複数の無線キャリアのうちの第３のキャリアと関連付けられる第２の動作可能な状態を識別し、トランシーバに、共通タイミングパラメータに従って、第２の動作可能な状態で、その第３のキャリア上で動作させるようにさらに構成される例を含みうる。プロセッサは、トランシーバに、第２のキャリア上で第２の動作可能な状態で、同時に、第３のキャリア上で第２の動作可能な状態で動作させるようにさらに構成され、第２のキャリアおよび第３のキャリアは、共通および同期送信タイミングインターバルを有する。プロセッサは、アクセス端末において第１のキャリア上で第１の動作可能な状態についてのスケジュール情報を受信し、アクセス端末において第２のキャリア上で第２の動作可能な状態についてのスケジュール情報を受信するようにさらに構成されうる。
【００１１】
複数の無線キャリア上での不連続アップリンク送信のための例示的なデバイスは、アクセス端末からの同時送信に使用可能な複数の無線キャリアの各キャリア上での不連続アップリンク送信のために使用されるべき共通タイミングパラメータを識別するための手段と、複数の無線キャリアのうちの第１のキャリアと関連付けられるべき第１の動作可能な状態を識別するための手段と、複数の無線キャリアのうちの第２のキャリアと関連付けられるべき、第１の動作可能な状態とは異なる第２の動作可能な状態を識別するための手段と、第１のキャリアが、共通タイミングパラメータに従って第１の動作可能な状態で動作させられるようにする手段と、第２のキャリアが、共通タイミングパラメータに従って第２の動作可能な状態で動作されるようにする手段とを含み、第２のキャリアは、第１の動作可能な状態で動作されている第１のキャリアと同時に、第２の動作可能な状態で動作される。
【００１２】
そのようなデバイスの例は、下記特徴の１つ以上を含みうる：第１の動作可能な状態は、データ送信状態を備え、第２の動作可能な状態は、第２のキャリア上の非アクティブデータ送信期間中の周期的バースト状態を備える；および、第１の動作可能な状態および第２の動作可能な状態は、共通送信タイミングインターバルを有する。
【００１３】
複数の無線キャリア上での不連続アップリンク送信のための例示的なコンピュータプログラム製品は、プロセッサに、アクセス端末からの同時送信に使用可能な複数の無線キャリアの各キャリア上での不連続アップリンク送信の間に関連して使用されるべき共通タイミングパラメータを識別させ、複数の無線キャリアのうちの第１のキャリアと関連付けられるべき第１の動作可能な状態を識別させ、複数の無線キャリアのうちの第２のキャリアと関連付けられるべき、第１の動作可能な状態とは異なる第２の動作可能な状態を識別させ、第１のキャリアに、共通タイミングパラメータに従って第１の動作可能な状態で動作させ、第２のキャリアに、共通タイミングパラメータに従って第２の動作可能な状態で動作させるように構成されたプロセッサ可読命令を含む。
【００１４】
そのようなデバイスの例は、下記特徴の１つ以上を含みうる：第１の動作可能な状態のスケジュール情報をアクセス端末に送信するための命令と第２の動作可能な状態のスケジュール情報をアクセス端末に送信するための命令、あるいは、アクセス端末において第１のキャリア上で第１の動作可能な状態につていのスケジュール情報を受信し、アクセス端末において第２のキャリア上で第２の動作可能な状態についてのスケジュール情報を受信するための命令。コンピュータプログラム製品は、アクセス端末に一体化されうる。
【００１５】
複数の無線キャリア上での不連続アップリンク送信のための例示的なプロセッサは、アクセス端末からの同時送信に使用可能な複数の無線キャリアの各キャリア上での不連続アップリンク送信に関連して使用されるべき共通タイミングパラメータを識別するように構成されたパラメータコントローラと、複数の無線キャリアのうちの第１のキャリアと関連付けられた第１の動作可能な状態を識別し、第１のキャリアに、共通タイミングパラメータに従って、第１の動作可能な状態で動作させるように構成された第１のキャリア状態コントローラと、複数の無線キャリアのうちの第２のキャリアと関連付けられるべき、第１の動作可能な状態とは異なる第２の動作可能な状態で識別し、第２のキャリアに、共通タイミングパラメータに従って、第２の動作可能な状態で動作させるように構成された第２のキャリア状態コントローラとを含む。
【００１６】
そのようなプロセッサの例は、下記特徴のうちの１つ以上を含みうる：アクセス端末からの同時送信に使用可能な複数の無線キャリアの各キャリア上での不連続アップリンク送信に使用されるべき共通タイミングパラメータを記憶し、且つ、アクセス端末において第１のキャリア上の第１の動作可能な状態についてのスケジュール情報を記憶し、アクセス端末において第２のキャリア上の第２の動作可能な状態についてのスケジュール情報を記憶するように構成されたメモリ。プロセッサは、アクセス端末または基地局コントローラに一体化されうる。
【００１７】
複数の無線キャリア上での不連続アップリンク送信のための例示的な方法は、アクセス端末からの同時送信に使用可能な複数の無線キャリアの各キャリア上での不連続アップリンク送信に関連して使用されるべき共通タイミングパラメータを確立することと、複数の無線キャリアのうちの第１のキャリア上でアクセス端末のための第１の動作可能な状態を識別することと、複数の無線キャリアのうちの第２のキャリア上でアクセス端末のための、第１の動作可能な状態とは異なる第２の動作可能な状態を識別することとを含み、第１の動作可能な状態および第２の動作可能な状態は、同時に動作する。例として、第１の動作可能な状態は、データ送信状態であり、第２の動作可能な状態は、非アクティブデータ送信期間中の周期的バースト状態である、または、第１の動作可能な状態は、非アクティブデータ送信期間中の第１の周期的バースト状態を備え、第２の動作可能な状態は、非アクティブデータ送信期間中の第２の周期的バースト状態を備え、ここにおいて、第１の周期的バースト状態よりも第２の周期的バースト状態において、バースト間の持続時間は長い。第１の動作可能な状態および第２の動作可能な状態は、同期送信タイミングインターバルを有しうる。
【００１８】
そのような方法の例は、下記特徴のうちの１つ以上を含みうる：アクセス端末に、第１の動作可能な状態で第１のキャリア上で動作させ、同時に、第２の動作可能な状態で第２のキャリア上で動作させること；非アクティブデータ送信期間中の第１のキャリアおよび第２のキャリアバースト送信に対して同じバースト長を設定すること；非アクティブデータ送信期間中のバースト間に同じ時間を設定すること；第１のキャリアおよび第２のキャリアに対して、第１の非アクティブデータ送信期間中のバースト間に、同じ第１の時間を識別すること；第１のキャリアおよび第２のキャリアに対して、第２の非アクティブデータ送信期間中のバースト間に第１の時間よりも長い同一の第２の時間を識別することと；または、同じ非アクティビティ閾値を確立すること；ここにおいて、非アクティビティ閾値を超えることは、複数のキャリアのそれぞれのキャリアに対して非アクティブデータ送信期間中のバースト間の時間を拡張する。
【００１９】
さらに、または、あるいは、そのような方法の例は、下記特徴の１つ以上を含みうる：第１のキャリアおよび第２のキャリアを、それらが隣接キャリアであるため、選択すること；複数の無線キャリアのうちの第３のキャリアと関連付けられるべき第２の動作可能な状態を識別すること；第３のキャリアに、共通タイミングパラメータに従って第２の動作可能な状態で動作させること；あるいは、第２のキャリアに、第２の動作可能な状態で動作させ、第３のキャリアに同時に、第２の動作可能な状態で動作させること。方法は、基地局コントローラまたはアクセス端末によって実行される。
【００２０】
不連続マルチキャリアアップリンク通信のための例示的な基地局コントローラは、有線通信ネットワークと通信するように構成されたネットワークインターフェースと、１つ以上のトランシーバ基地局と通信するように構成されたトランシーバ基地局インターフェースと、アクセス端末からの同時送信に使用可能な複数の無線キャリアの各キャリア上での不連続アップリンク送信に関連して使用されるべき共通タイミングパラメータを記憶し、アクセス端末からの不連続アップリンク送信を実行するための複数の動作可能な状態を記憶するように構成されたメモリとを含む。例示的な基地局コントローラは、さらに、定義された時間期間の間、第１のアップリンク送信が、共通タイミングパラメータに従って、アクセス端末から、複数の動作可能な状態のうちの第１の動作可能な状態で、複数の無線キャリアのうちの第１のキャリア上で、実行されるであろうことを識別し、且つ、定義された時間期間の間、第２のアップリンク送信が、共通タイミングパラメータに従って、アクセス端末から、複数の動作可能な状態のうちの第２の動作可能な状態で、複数の無線キャリアのうちの第２のキャリア上で、実行されるであろうことを識別するように構成されたプロセッサを含む。基地局コントローラのプロセッサは、さらに、第１の動作可能な状態のスケジュール情報が、アクセス端末に送信され、第２の動作可能な状態のスケジュール情報が、アクセス端末に送信されるようにするように構成される。
【図面の簡単な説明】
【００２１】
【図１】図１は、無線通信システムのブロック図である。
【図２】図２は、不連続マルチキャリアアップリンク送信のためのアクセス端末のブロック図である。
【図３】図３は、不連続マルチキャリアップリンク送信のための、プロセッサの機能コンポーネントのブロック図である。
【図４】図４は、不連続マルチキャリアアップリンク送信のための基地局コントローラのブロック図である。
【図５】図５は、不連続マルチキャリアアップリンク送信を確立するように構成されたプロセッサの機能コンポーネントのブロック図である。
【図６】図６は、不連続マルチキャリアアップリンク送信を管理するためのメモリのコンテンツを示すブロック図である。
【図７】図７は、不連続アップリンク送信のための方法のフローチャートである。
【図８】図８は、マルチキャリア不連続アップリンク送信の管理のための方法のフローチャートである。
【図９】図９は、アクセス端末からのマルチキャリア不連続アップリンク送信の管理のための方法のフローチャートである。
【図１０】図１０は、コアとユーザ機器へのインターフェースと共に、２つの無線ネットワークサブシステムを有する無線アクセスシステムのブロック図である。
【図１１】図１１は、セルラ通信システムの簡略化された表示である。
【図１２】図１２は、ノードＢと無線ネットワークコントローラが、パケットネットワークインターフェースとインターフェースする通信システムの一部のブロック図である。
【図１３】図１３は、ユーザ機器（ＵＥ）のブロック図である。
【図１４】図１４は、送信機の構造を通る信号の機能ブロックフロー図である。
【発明を実施するための形態】
【００２２】
無線通信システムにおける不連続マルチキャリアアップリンク送信の管理が記述される。アクセス端末は、アクセス端末から同時に送信される２つ以上の無線キャリアの各キャリア上での不連続アップリンク送信に関して使用するための共通タイミングパラメータを識別することができる。第１の動作可能な状態（例えば、データ送信状態）は、第１の無線キャリアと関連付けられ、第２の、異なる状態（例えば、非アクティブデータ送信期間中の周期的バースト状態）は、第２の無線キャリアと関連付けられる。第１のキャリアは、第２の動作可能な状態で動作されている第２のキャリアと同時に、第１の動作可能な状態で動作され、各キャリアは、共通タイミングパラメータに従って動作される。
【００２３】
本明細書に記述される技術は、ＣＤＭＡ、ＴＤＭＡ、ＦＤＭＡ、ＯＦＤＭＡ、ＳＣ−ＦＤＭＡのような様々な無線通信システム、および別のシステムに対して使用されうる。「システム」および「ネットワーク」という用語は、しばしば、交換可能に使用される。ＣＤＭＡシステムは、ＣＤＭＡ２０００、ＵＴＲＡ（ＵＭＴＳ地上波無線アクセス）などの無線テクノロジを実施することができる。ＣＤＭＡ２０００は、ＩＳ−２０００、ＩＳ−９５、およびＩＳ−８５６標準をカバーする。ＩＳ−２０００リリース０およびＡは、一般的に、ＣＤＭＡ２０００ １Ｘ、１Ｘなどと呼ばれる。ＩＳ−８５６（ＴＩＡ−８５６）は、一般的に、ＣＤＭＡ２０００ １ｘＥＶ−ＤＯ、高速パケットデータ（ＨＲＰＤ）などと呼ばれる。ＵＴＲＡは、広域ＣＤＭＡ（ＷＣＤＭＡ）およびＣＤＭＡの別の変形を含む。ＴＤＭＡシステムは、ＧＳＭ（登録商標）（汎ヨーロッパデジタル移動通信システム）のような無線テクノロジを実施しうる。ＯＦＤＭシステムは、ＵＭＢ（ウルトラモバイルブロードバンド）、次世代ＵＴＲＡ（Ｅ−ＵＴＲＡ）、ＩＥＥＥ ８０２.１１（Ｗｉ−Ｆｉ）、ＩＥＥＥ ８０２.１６（ＷｉＭＡＸ）、ＩＥＥＥ ８０２.２０、フラッシュＯＦＤＭ（登録商標）のような無線テクノロジを実施しうる。ＵＴＲＡおよびＥ−ＵＴＲＡは、ＵＭＴＳ（万国移動通信システム）の一部である。３ＧＰＰロングタームエボリューション（ＬＴＥ）およびＬＴＥアドバンスド（ＬＴＥ−Ａ）は、Ｅ−ＵＴＲＡを使用する、ＵＭＴＳの新リリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト（３ＧＰＰ）」という名称の団体からの文書に記述されている。ＣＤＭＡ２０００およびＵＭＢは、「第３世代パートナーシッププロジェクト２（３ＧＰＰ２）」という名称の団体からの文書に記述されている。本明細書に記述される技術は、上述のシステムと無線テクノロジ、並びに、別のシステムと無線テクノロジに使用されうる。しかしながら、本技術は、ＬＥＴアプリケーションを超えて適用可能であるが、下の記述は、例示の目的で、ＬＴＥシステムを記述し、ＬＴＥ用語が、次の記述の大半で使用される。
【００２４】
このように、次の記述は、複数の例を提供し、特許請求の範囲に示される範囲、適用性、または構成を制限しない。本開示の精神および範囲を逸脱することなく、議論されるエレメントの機能および配列の変更が行われうる。様々な例が、適宜、様々な手順またはコンポーネントを省略、置換、または追加することができる。例えば、記述される方法は、記述される順序とは異なる順序で実行され、様々なステップが、追加、省略、または結合されうる。さらに、ある例に関して記述される特徴は、別の例において結合されうる。次の記述は、ＤＴＸおよび不連続送信という用語を交換可能に使用する。
【００２５】
まず、図１を参照すると、ブロック図は、無線通信システム１００の例を示す。システム１００は、セル１１０に配置されたトランシーバ基地局（ＢＴＳ）１０５、モバイルアクセス端末（ＡＴ）１１５、および基地局コントローラ（ＢＳＣ）１２０を含む。システム１００は、複数のキャリア（異なる周波数の波形信号）上の動作をサポートしうる。マルチキャリア送信機は、複数のキャリア上で同時に変調信号を送信することができる。変調信号の各々は、ＣＤＭＡ信号、ＴＤＭＡ信号、ＯＦＤＭＡ信号、ＳＣ−ＦＤＭＡ信号などでありうる。変調信号の各々は、異なるキャリア上で送信され、パイロット、オーバヘッド情報、データなどを送信しうる。いくつかの例において、システム１００は、ネットワークリソースを効率的に割り当てることができるマルチキャリアＬＴＥネットワークである。
【００２６】
ＢＴＳ １０５は、基地局アンテナを介してＡＴ １１５と無線で通信することができる。ＢＴＳ １０５は、アクセスポイント、アクセスノード（ＡＮ）、ノードＢ、発展型ノードＢ（ｅＮＢ）などとも呼ばれうる。ＢＴＳ １０５は、ＢＳＣ １２０の制御下で複数のキャリアを介してＡＴ １１５と通信するように構成される。ＢＴＳ １０５の各々は、それぞれの地理的エリア（ここではセル１１０−ａ、１１０−ｂ、または１１０−ｃ）に通信カバレッジを提供することができる。ＢＴＳ １０５のセル１１０の各々は、基地局アンテナ２２に応じて、複数（ここでは３つ）のセクタ１２５（セル１１０−ａで示されるような）に分割される。図１は、ＡＴ １１５が、各々、１つのセクタ１２５にだけ存在している状態で明確に定義されているセクタ１２５を示すが、複数のセクタ１２５はオーバラップし、１つのＡＴ １１５は、ＢＴＳ １０５が、２つ以上のセクタ１２５および２つ以上のセル１１０を通してＡＴ １１５と通信できるように、複数のセクタ１２５および複数のセル１１０に同時に存在することができる。
【００２７】
システム１００は、マクロＢＴＳ １０５のみを含むか、あるいは、例えば、マクロ、ピコ、および／またはフェムト基地局などの異なるタイプのＢＴＳ １０５を有することができる。マクロＢＴＳ １０５は、比較的大きい地理的エリア（例えば、半径数キロメートル）をカバーし、サービスに加入している端末による無制限アクセスを可能にする。ピコＢＴＳ １０５は、比較的小さい地理的エリア（例えば、ピコセル）をカバーし、サービスに加入している端末による無制限アクセスを可能にする。フェムトセルまたはホームＢＴＳ １０５は、比較的小さいエリア（例えば、フェムトセル）をカバーし、そのフェムトセルと関連付けられた端末（例えば、家にいるユーザの端末）による制限されたアクセスを可能にする。
【００２８】
ＡＴ １１５は、セル１１０全体に分散されうる。ＡＴ １１５は、モバイル局、モバイルデバイス、ユーザ機器（ＵＥ）、または、加入者ユニットと呼ばれうる。ここで、ＡＴ １１５は、セルラ電話および無線通信デバイスを含が、さらに、携帯情報端末（ＰＤＡ）、別のハンドヘルドデバイス、ネットブック、ノートブックコンピュータ等を含みうる。
【００２９】
本明細書でより詳細に記述されるように、ＡＴ １１５は、２つ以上の無線キャリアの各キャリア上での不連続アップリンク送信で使用するための共通タイミングパラメータを識別しうる。第１の動作可能な状態（例えば、データ送信状態）は、第１の無線キャリアと関連付けられ、第２の、異なる状態（例えば、非アクティブデータ送信期間中の周期的バースト状態）は、第２の無線キャリアと関連付けられうる。これらの異なる動作可能な状態は、複数のキャリアにわたって共通タイミングパラメータを共有する間、同時に動作されうる。ＡＴ １１５は、使用されるべき共通パラメータ、キャリア、または、状態を識別するスケジューリングおよび制御情報を、ＢＴＳ １０５またはＢＳＣ １２０から（例えば、ＢＴＳ １０５を通して）受信しうる。
【００３０】
次に、図２を参照すると、ブロック図２００は、例示的なＡＴ １１５−ａを示す。これは、例えば、図１のＡＴ １１５でありうる。ＡＴ １１５−ａは、各々が、直接的または間接的に、互いに通信状態にありうるアンテナ２０５、トランシーバモジュール２１０、メモリ２１５、プロセッサモジュール２２５を含む。トランシーバモジュール２１０は、ＢＴＳ １０５と双方向に通信するように構成される。メモリ２１５は、ランダムアクセスメモリ（ＲＡＭ）および読取専用メモリ（ＲＯＭ）を含みうる。メモリ２１５は、実行されると、プロセッサモジュール２２５に、本明細書に記述される様々な機能を実行させるように構成された命令を含むコンピュータ読取可能、コンピュータ実行可能ソフトウェアコード２２０を記憶しうる。あるいは、ソフトウェア２２０は、プロセッサモジュール２２５によって直接的に実行可能ではないが、それは、コンピュータに、例えば、コンパイルおよび実行されると、機能を実行させるように構成される。
【００３１】
プロセッサモジュール２２５は、例えば、インテル（登録商標）社またはＡＭＤ（登録商標）によって製造されるもののような中央処理装置（ＣＰＵ）などのインテリジェントハードウェアデバイス、マイクロコントローラ、特定用途向け集積回路（ＡＳＩＣ）等を含みうる。プロセッサモジュール２２５は、マイクロフォンを介してオーディオを受信し、そのオーディオを、受信オーディオを表すパケット（例えば、長さ２０ｍｓの）に変換し、そのオーディオパケットをトランシーバモジュール２１０に提供し、ユーザが話し中であるか否かを示す表示を提供するように構成された音声符号器（図示されない）を含みうる。あるいは、符号器は、ユーザが通話中であるか否かを表す表示を提供するパケット自体の供給または抑制/停止と共に、パケットをトランシーバモジュール２１０に提供するだけである。
【００３２】
トランシーバモジュール２１０は、パケットを変調し、その変調パケットを、送信するためにアンテナ２０５に提供し、アンテナ２０５から受信されたパケットを復調するように構成されたモデムを含みうる。いくつかの例において、アンテナ２０５は、複数のアンテナでありうる。ＡＴ １１５−ａは、アクティブなキャリアのセットを使用して、アップリンクおよびダウンリンクを介してＢＴＳ １０５と通信することができる。ダウンリンクは、ＢＴＳ １０５からＡＴ １１５−ａへの通信リンクを指し、アップリンクは、ＡＴ １１５−ａからＢＴＳ １０５への通信リンクを指す。アクティブなキャリアのセットは、ＢＴＳ １０５との通信が、十分に可能であると決定されるキャリアのセットである。
【００３３】
メモリ２１５は、アクセス端末からの同時送信のためのアクティブな無線キャリアのセットの各キャリア上での不連続アップリンク送信のための共通タイミングパラメータを識別するデータを記憶しうる。プロセッサモジュール２２５は、アップリンクキャリアのうちの１つについての第１の動作可能な状態（例えば、データ送信状態）と、アップリンクキャリアの２つ目についての異なる動作可能な状態（例えば、不連続データ送信状態、または、非アクティブデータ送信期間中の周期的バースト状態）とを識別する。これらは、隣接キャリアであり、および、１つ以上の追加キャリアが存在しうる。キャリアは、共通および同期送信タイミングインターバルを有しうる。プロセッサモジュール２２５は、トランシーバモジュール２１０に、第１の動作可能な状態で第１のキャリア上で、且つ、第２の動作可能な状態で第２のキャリア上で同時に動作させるように構成される。
【００３４】
このように、不連続アップリンクにおけるキャリアの動作可能な状態は、不連続アップリンク送信のための共通タイミングパラメータを共有する間、異なっており、且つ、互いに独立している。例として、そのような共通タイミングパラメータは、不連続アップリンク送信の様々なステージに関係するタイミングパラメータを含みうる。特定のキャリアが、不連続モードで動作している場合、トランシーバモジュール２１０は、非アクティビティ期間の間、ＢＴＳ １０５との接続を維持するためにバーストを送信し続けうる。これは、そのキャリアの信号品質のモニタリングを可能にしうる。共通タイミングパラメータは、非アクティブデータ送信期間中、各キャリアが、バースト伝送に同じバースト長を使用することを指定しうる。同様に、共通タイミングパラメータは、非アクティブデータ送信期間中、バースト間の同じ時間が使用されることを指定しうる。別の例において、第１の非アクティブ送信期間中、バースト間に第１の共通時間が存在し、第２の非アクティブ送信期間中、バースト間に第２のより長い共通時間が存在し、第２の非アクティブ期間は、非アクティビティタイマが閾値を超えた場合に、それぞれのキャリアに対して発生する。その閾値は、共有ノ非アクティビティ閾値でありうる。複数のキャリアにわたって使用するために設定される様々な共通タイミングパラメータが存在し、これらは、下により詳細に記述されるであろう。
【００３５】
前述されたように、トランシーバモジュール２１０は、３つ以上のアップリンクキャリア上で送信するように構成されうる。このように、プロセッサモジュール２２５は、２つ以上のキャリアに、動作可能な状態のうちの１で同時に動作させる（例えば、複数のキャリアが、非アクティブデータ送信期間中の周期的バースト状態で動作すること、および、１つのキャリアのみが、データ送信状態で動作することを指定すること）。よって、キャリアは、ある時に、ある構成で、同一の動作可能な状態で動作しうる。プロセッサモジュール２２５は、各キャリア上の動作可能な状態についてのスケジュール情報、共通タイミングパラメータ情報、および、別のメトリクを（例えば、トランシーバモジュール２１０を介してＢＴＳ １０５から）受信するようにさらに構成されうる。
【００３６】
図３を参照すると、ブロック図３００は、プロセッサモジュール２２５-ａのあるコンポーネントの例を示す。このプロセッサモジュール２２５−aは、図２のプロセッサモジュール２２５でありうる。プロセッサモジュール２２５−ａは、ＤＴＸパラメータ制御モジュール３０５と、多数のＤＴＸ状態制御モジュール３１０とを含む。
【００３７】
ＤＴＸ状態制御キャリアモジュール３１０およびＤＴＸパラメータ制御モジュール３０５は、各々、直接的または間接的に、互いに通信状態にありうる。ＤＴＸパラメータ制御モジュール３０５およびＤＴＸ状態制御モジュール３１０は、別々に、あるいは、集合的に、ハードウェアにおいて適応可能な機能のいくつかまたは全てを実行することに適応した１つ以上の特定用途向け集積回路（ＡＳＩＣ）に実施されうる。あるいは、機能は、１つ以上の別の処理ユニット（または、コア）によって、１つ以上の集積回路に実行されうる。別の例において、当技術分野において既知の任意の方法でプログラムされうる別のタイプの集積回路（例えば、構造化/プラットフォームＡＳＩＣ、フィールドプログラマブルゲートアレイ（ＦＰＧＡ）および別のセミカスタムＩＣ）が、使用されうる。各ユニットの機能は、さらに、全体的または部分的に、１つ以上の汎用プロセッサまたはアプリケーション固有プロセッサによって実行されるようにフォーマットされた、メモリに組み込まれた命令で実施されうる。各モジュールがメモリを含むか、あるいは、アクセスされたメモリが、プロセッサモジュール２２５−ａ上の別の場所（例えば、図２のメモリ２１５）、あるいはプロセッサモジュール２２５−ａから離れた場所に存在しうる。
【００３８】
ＤＴＸパラメータ制御モジュール３０５は、アクセス端末からの同時送信に使用可能な無線キャリア上の不連続アップリンク送信に関して使用されるべき共通タイミングパラメータ（例えば、上で議論された共通タイミングパラメータ）を識別しうる。ＤＴＸ状態制御モジュール３１０−ａは、第１のキャリアと関連付けられるべき第１の動作可能な状態を識別し、その第１のキャリアを、共通タイミングパラメータに従って、第１の動作可能な状態で動作させる。第２のＤＴＸ状態制御モジュール３１０−ａは、第２のキャリアと関連付けられるべき、第１の動作可能な状態とは異なる第２の動作可能な状態を識別し、その第２のキャリアを、共通タイミングパラメータに従って、第２の動作可能な状態で動作させる。このように、異なる動作の状態が、異なるアップリンクキャリア上で同時にランすることができる。
【００３９】
プロセッサモジュール２２５−ａ上のメモリまたはプロセッサモジュール２２５−ａから離れたメモリは、不連続アップリンク送信に使用されるべき共通タイミングパラメータを記憶し、各キャリアの動作可能な状態についての構成およびスケジュール情報を記憶しうる。このように、プロセッサモジュール２２５−ａのコンポーネントは、様々な方法で、共通タイミングパラメータおよび状態情報にアクセスしうる。
【００４０】
次に図４を参照すると、ブロック図４００は、例示的なＢＳＣ １２０−ａを示す。これは、例えば、図１のＢＳＣ １２０でありうる。ＢＳＣ １２０−ａは、ネットワークインターフェース４０５、ＢＴＳインターフェース４１０、メモリ４１５、プロセッサモジュール４２５、および、ディスクドライブ４３０を含むコンピュータシステムである。ＢＴＳインターフェース４１０は、ＢＳＣ １２０−ａと複数のＢＴＳ（例えば、図１の複数のＢＴＳ １０５）との間の伝送を送信、受信、符号化、復号するための送信機および受信機を含む。ＢＳＣ １２０−ａについて記述された１つ以上の機能が、ＢＴＳによって実行されうること、および、ＢＳＣ １２０−ａが、多かれ少なかれ、ＢＴＳと統合されうることは、注目に値する。このように、いくつかの例において、ＢＳＣ １２０−ａは、無線で、多数のＢＴＳと通信し、それらを制御することができると同時に、この機能がＢＴＳに統合されうる様々な方法が存在する。
【００４１】
メモリ４１５は、ランダムアクセスメモリ（ＲＡＭ）および読取専用メモリ（ＲＯＭ）を含む。ディスクドライブ４３０は、ハードディスクドライブを含み、フロッピー（登録商標）ディスクドライブ、ＣＤ−ＲＯＭドライブ、および／または、ジップドライブ（zip drive）を含むことができる。ネットワークインターフェース４０５は、公衆電話交換ネットワーク（ＰＳＴＮ）のような電話ネットワークと通信状態にあるモバイル切換センタ（ＭＳＣ）への／からの双方向通信のために適切なハードウェアを含む。ＢＳＣ １２０−ａは、ＢＴＳとの双方向通信のために接続および構成されうる。ＢＳＣ １２０−ａは、ＢＴＳインターフェース４１０およびプロセッサモジュール４２５を使用して、ＢＴＳへの／からの伝送を伝達、受信、符号化、および復号するように構成されうる。
【００４２】
プロセッサモジュール４２５は、例えば、インテル社またはＡＭＤによって製造されるもののような中央処理装置（ＣＰＵ）などのインテリジェントハードウェアデバイス、マイクロコントローラ、特定用途向け集積回路（ＡＳＩＣ）などでありうる。ＢＳＣ １２０−ａは、実行されると、プロセッサモジュール４２５に、下に記述される機能を実行させるように構成された命令を含むコンピュータ読取可能、コンピュータ実行可能ソフトウェアコード４２０を、例えば、メモリ４１５に記憶する。あるいは、ソフトウェア４２０は、プロセッサモジュール４２５によって直接実行可能ではないが、例えば、コンパイルおよび実行されると、ＢＳＣ １２０−ａに、その機能を実行させるように構成されうる。ソフトウェア４２０は、例えば、ネットワーク接続を介してダウンロードされること、ディスクを介してアップロードされることなどによってＢＳＣ １２０−ａにロードされうる。
【００４３】
メモリ４１５は、ＡＴ（例えば、図１のＡＴ １１５）からの多数の無線キャリアの各キャリア上での同時の不連続アップリンク送信に使用されるべき共通タイミングパラメータを記憶しうる。これらの共通タイミングパラメータは、より広範囲のＡＴのセットにも適用されうる。メモリ４１５は、様々なキャリアについての信号品質データ、スケジューリングおよびグラント情報、および、ＡＴからの不連続アップリンク送信に関連した異なる動作可能な状態についての構成データを記憶しうる。プロセッサモジュール４２５は、スケジューリングおよびグラント情報、並びに、構成データにアクセスし、定義される持続時間の間、アップリンク送信が、第１の動作可能な状態（例えば、データ送信状態を可能にする）で、ＡＴから第１のキャリア上で実行されるであろうことを識別しうる。プロセッサモジュール４２５は、さらに、定義される持続時間の間、アップリンク送信が、第２の動作可能な状態（例えば、不連続データ送信状態、または、非アクティブデータ送信期間中の周期的バースト状態）で、ＡＴから第２のキャリア上で実行されるであろうことを識別するためにアクセスされた情報を使用しうる。プロセッサモジュール４２５は、動作可能な状態のスケジュール情報が、ＢＴＳインターフェース４１０を介してＡＴに送信されるようにトリガするか、そうでなければ、それを引き起こしうる。基地局コントローラのプロセッサモジュール４２５は、共通タイミングパラメータが、ＢＴＳインターフェース４１０を介してＡＴに送信されるようにトリガするか、そうでなければ、それを引き起こしうる。
【００４４】
プロセッサモジュール４２５は、マルチキャリア通信に従事するＡＴに割り当てられたアップリンクキャリアのセットの態様を分析しうる。分析は、キャリアの周波数帯域が、周波数スペクトルで隣接しているか否かに関わらず、その帯域を含みうる。さらに、分析は、アップリンク送信（例えば、パイロット送信）によって引き起こされる、無線ネットワーク内の送信電力および干渉を含みうる。その分析に基づいて、キャリアが、データ送信のために選択（または、有効に）されるか、あるいは、不連続送信のために選択されうる。次に、これらの選択は、スケジューリング目的に使用されうる。
【００４５】
次に図５を参照すると、ブロック図５００は、プロセッサモジュール４２５−ａのあるコンポーネントの例を示す。このプロセッサモジュール４２５−ａは、図４のプロセッサモジュール４２５でありうる。プロセッサモジュール４２５−ａは、各々が、直接的または間接的に、相互に通信状態にありうるＤＴＸ ＵＬ状態割当モジュール５０５、ＤＴＸ ＵＬパラメータモジュール５１０、および、スケジューラモジュール５１５を含む。
【００４６】
ＤＴＸ ＵＬ状態割当モジュール５０５、ＤＴＸ ＵＬパラメータモジュール５１０、および、スケジューラモジュール５１５は、個々に、あるいは、集合的に、ハードウェアにおいて適応可能な機能のいくつかまたは全てを実行することに適応した１つ以上の特定用途向け集積回路（ＡＳＩＣ）で実施されうる。あるいは、機能は、１つ以上の別の処理ユニット（または、コア）によって、１つ以上の集積回路に実行されうる。別の例において、当技術分野で既知の任意の方法でプログラムされうる別のタイプの集積回路（例えば、構造／プラットフォームＡＳＩＣ、フィールドプログラマブルゲートアレイ（ＦＰＧＡ）、および、別のセミカスタムＩＣ）が使用されうる。各ユニットの機能は、さらに、全体的または部分的に、１つ以上の汎用プロセッサまたはアプリケーション固有プロセッサによって実行されるようにフォーマットされた、メモリに組み込まれた命令を用いて実施されうる。各モジュールがメモリを含むか、あるいは、アクセスされたメモリが、プロセッサモジュール４２５−ａ上の別の場所（例えば、図４のメモリ４１５）、あるいはプロセッサモジュール４２５−ａから離れた場所に存在しうる。
【００４７】
ＤＴＸ ＵＬパラメータモジュール５１０は、ＡＴ（例えば、図１のＡＴ １１５）からの無線キャリアからの同時の不連続アップリンク送信に使用されるべき共通タイミングパラメータを記憶、アクセス、識別、および／または生成しうる。これらの共通タイミングパラメータは、より広範囲のＡＴのセットにも適用されうる。ＤＴＸ ＵＬ状態割当モジュール５０５は、第１の動作可能な状態（例えば、データ送信状態を有効にすること）で、ＡＴから第１のキャリア上で実行されるべきアップリンク送信を記憶、アクセス、識別、および／または引き起こしうる。ＤＴＸ ＵＬ状態割当モジュール５０５は、第２の動作可能な状態（例えば、不連続データ送信状態、または、非アクティブデータ送信期間中の周期的バースト状態）で、ＡＴから第２のキャリア上で実行されるべきアップリンク送信を記憶、アクセス、識別、および／または引き起こしうる。スケジューラモジュール５１５は、様々なキャリアについての信号品質データ、スケジューリングおよびグラント情報、並びに、ＡＴからの不連続アップリンク送信に関連する異なる動作可能な状態についての構成データを記憶、識別、および／または生成しうる。プロセッサモジュール４２５−ａは、ＢＳＣ １２０からの動作可能な状態のスケジュール情報、共通タイミングパラメータ、または、別の情報が、ＡＴに送信されるようにトリガするか、そうでなければ、それを引き起こしうる。
【００４８】
次に、図６を参照すると、ブロック図は、メモリ６００に記憶されうるデータの例を示す。メモリ６００は、例えば、図２のメモリ２１５、図４のメモリ４１５であり、ランダムアクセスメモリ（ＲＡＭ）および読取専用メモリ（ＲＯＭ）を含みうる。メモリ６００は、ＤＴＸアップリンク状態機械（DTX uplink state machine）６０５および共通タイミングパラメータ６１０を含む。示される例において、共通タイミングパラメータ６１０は、バースト持続時間データ６１５、バーストプリアンブル長データ６２０、バースト間の持続時間−非アクティビティレベル１データ６２５、バースト間の持続時間−非アクティビティレベル２データデータ６３０、非アクティビティレベル１と非アクティビティレベル２との間にある閾値データ６３５、および、ＤＴＸ／ＤＲＸオフセットデータ６４０を含む。
【００４９】
メモリ６００に記憶されるデータは、実行されると、プロセッサに、本明細書に記述される様々な機能を実行させるように構成された命令を含むコンピュータ読取可能、コンピュータ実行可能ソフトウェアコードでありうる。あるいは、ソフトウェアは、プロセッサモジュール２２５によって直接的に実行可能ではないが、例えば、コンパイルおよび実行されると、コンピュータに、その機能を実行させるように構成されうる。別の例において、データは、１つ以上のＡＴにつての動作の状態および共通タイミングパラメータを識別するため、そのデータは、実行可能な命令を含む必要がない。
【００５０】
ＤＴＸアップリンク状態機械６０５は、ＡＴ（例えば、図１のＡＴ １１５）からの送信に使用される２つ以上のキャリアに対して使用されるべき動作可能な状態を制御および／または識別しうる。各ＡＴについて、ＤＴＸアップリンク状態機械６０５は、第１のキャリアについての第１の動作可能な状態を、且つ、第２のキャリアについての異なる動作可能な状態を識別しうる。別の例において、追加のキャリアが存在し、各キャリアについての動作可能な状態は独立しているか、あるいは、いくつかのキャリアの動作可能な状態はロックステップ（lock step）で移動しうる。いくつかの例において、第１のキャリアは、データ送信状態で動作し、第２のキャリアは不連続データ送信状態で動作する。別の例において、第１のキャリアは、データ送信状態で動作し、第２のキャリアは、非アクティブデータ送信期間中の周期的バースト状態で動作する。さらに別の例において、第１のキャリアは、第１の非アクティビティレベルと関連付けられた不連続送信状態で動作し、第２のキャリアは、第２の非アクティビティレベルと関連付けられた不連続送信状態で動作する。ＤＴＸアップリンク状態機械６０５は、動作可能な状態を制御する様々な入力を有しうる（例えば、状態は、所与のキャリアについての信号品質、所与のキャリア上のトラフィック、ＢＳＣから受信されるスケジューリング情報、および／または、ＡＴから送信されるべきデータ量に基づいて制御されうる）。
【００５１】
共通タイミングパラメータ６１０は、ＡＴから送信される各キャリアが使用するために記憶されうる。共通タイミングパラメータ６１０は、不連続アップインク送信の様々なステージに関連するタイミングパラメータを含む。特定のキャリアが、不連続モードで動作している時、バーストが送信され続けうる。バースト持続時間データ６１５は、非アクティブデータ送信期間中のバースト送信のために、各キャリアに対して同じバースト長を指定しうる。バーストプリアンブル長データ６２０は、非アクティブデータ送信期間中のバースト送信のために、各キャリアに対して同じバーストプリアンブル長を指定しうる。いくつかの例において、複数のバースト間の持続時間は、どれだけの間、キャリアが非アクティブであったか（すなわち、データを送信していないか）に依存して変化しうる。このように、複数のバースト間の持続時間―非アクティビティレベル１データ６２５は、第１の非アクティビティレベルの間、全てのキャリアに対して、複数のバースト間の標準的な持続時間を指定しうる。さらに、複数のバースト間の持続時間―非アクティビティレベル２データ６３０は、第２の非アクティビティレベルの間、全てのキャリアに対して、複数のバースト間の標準的な持続時間を指定しうる。非アクティビティレベル１と非アクティビティレベル２との間にある閾値データ６３５は、非アクティビティレベル１と非アクティビティレベル２との間にある標準的な閾値を指定しうる（別の例において、さらなる非アクティビティレベル（例えば、３つまたは４つの非アクティビティレベル）が存在しうることに注意されたい）。ＤＴＸ／ＤＲＸオフセットデータ６４０は、不連続送信と不連続受信との間のいくつかのオフセットが、全てのアップリンクキャリアに対して使用されることを指定しうる。これらの共通タイミングパラメータ６１０は、例であり、別の例において、より多くの、または、より少ないタイミングパラメータ６１０が共有されうる。例えば、バースト持続時間、または、複数のバースト間の持続時間は、別の例において、キャリア単位で、管理されうる。
【００５２】
上に記述されたアップリンクキャリア管理は、ＤＣ−ＨＳＵＰＡ（Dual-carrier - High Speed Uplink Packet Access）システムに対して使用されうる。上に詳述されていないが、キャリアは、様々な基準を使用して、動作可能モードに対して選択されうる。アップリンク干渉が、近隣のＡＴにとっての問題である１つの例として、アップリンク干渉を緩和するアップリンクモードが選択されうる。超過電力消費がＡＴにとっての問題である別の例として、ＡＴ電力消費を最小化するアップリンクキャリア管理モードが用いられうる。キャリアは、さらに、より良いアップリンク電力を有するキャリアを識別することによって選択されうる。安定性を提供するために、様々なヒステリシスプロセス（hysteresis process）が使用されうる。しかしながら、主題の開示が前述の例に限定されないことは認識されるべきである。
【００５３】
上に記述されたように、それぞれのアップリンクキャリアは、それらが異なる動作可能な状態で同時に動作可能であるため、少なくとも部分的に独立して動作されうる。ＤＣ−ＨＳＵＰＡについて、エンハンスド専用チャネル（Ｅ−ＤＣＨ）送信条件は、各アップリンクキャリアおよびＤＣ−ＨＳＵＰＡに対して個々に構成されうる。しかしながら、パラメータ表示は、複数のアップリンクキャリアにわたって同じでありうる。表１は、ＤＣ−ＨＳＵＰＡについての例を示す。ここにおいて、第１の列（左側）にリストされたパラメータは、ＡＴ（例えば、図１のＡＴ １１５）の各キャリアにわたって共有されるが、各キャリアは、異なる動作可能なモードで動作している。第２の列は、適用可能な測定の単位を示し、第３の列は、複数のキャリアにわたって同じでありうる、パラメータの値／値の範囲を識別する。
【表１】
0005431569.tif 000002
【００５４】
表１の特定の共通タイミングパラメータを参照すると、UE_DTX_cycle_1およびUE_DTX_cycle_2パラメータは、アップリンクＤＰＣＣＨバーストパターンを決定する。UE_DTX_cycle_1は、図６の複数のバースト間の持続時間―非アクティビティレベル１ ６５２のパラメータであり、UE_DTX_cycle_2は、図６の複数のバースト間の持続時間―非アクティビティレベル２ ６５２のパラメータでありうる。
【００５５】
Inactivity_threshold_for_UE_DTX_cycle_2は、ＡＴ １１５が、UE_DTX_cycle_1からUE_DTX_cycle_2に迅速に移動した後、Ｅ−ＤＣＨ送信を除く連続Ｅ−ＤＣＨ ＴＴＩの数を定義する。Inactivity_threshold_for_UE_DTX_cycle_2パラメータは、図６の非アクティビティレベル１と非アクティビティレベルとの２との間の閾値６３５のパラメータでありうる。
【００５６】
UE_DTX_long_preambleは、UE_DTX_cycle_2と関連付けられたプリアンブルの長さをスロット単位で決定する。UE_DTX_long_preambleは、図６のバーストプリアンブル長６２０のパラメータでありうる。UE_DTX_cycle_1が適用される場合、UE_DPCCH_burst_1が、サブフレームの単位でアップリンクＤＰＣＣＨバースト長を決定し、UE_DTX_cycle_2が適用される場合、UE_DPCCH_burst_2が、サブフレームの単位でアップリンクＤＰＣＣＨバースト長を決定する。UE_DPCCH_burst_1およびUE_DPCCH_burst_2は、個々に、あるいは、集合的に、図６のバースト持続時間６１５のパラメータでありうる。
【００５７】
UE_DTX_DRX_offsetは、サブフレームの単位で、アップリンクＤＰＣＣＨバーストパターンとＨＳ−ＳＣＣＨ受信パターンのオフセットを決定する。UE_DTX_DRX_offsetは、図６のＤＴＸ／ＤＲＸオフセット６４０のパラメータでありうる。当業者は、表１に示された共通タイミングパラメータの残りを認識するであろう。さらに、それらが、複数のキャリアにわたって同一でありうることに注意されたい。いくつかの例において、表１に示された共通タイミングパラメータ全てよりも少ない数の共通タイミングパラメータが、複数のキャリアにわたって共有されるが、別の例において、表１に示されない追加の共通タイミングパラメータが、複数のキャリアにわたって共有される。
【００５８】
共通タイミングパラメータは、よって、非アクティブデータ送信期間中のバースト送信のために、各キャリアに対して同一のバーストおよびプリアンブル長を指定しうる。これらの同じバーストおよびプリアンブル長は、異なる非アクティビティレベル毎に異なる。共通タイミングパラメータは、複数のバースト間の同じ持続時間を指定しうる。この持続時間は、異なる非アクティビティレベルで、別々に設定されうる。共通タイミングパラメータは、複数の非アクティビティレベル間の標準的な閾値も指定しうる。
【００５９】
図７は、不連続アップリンク送信のための方法７００のフローチャートである。方法７００は、例えば、図１または２のＡＴ １１５によって、あるいは、より具体的には、図２または３のプロセッサモジュール２２５によって、全体的または部分的に実行されうる。方法７００は、図１または４のＢＳＣ １２０、図４また５のプロセッサモジュール４２５、または図１のＢＴＳ １０５によって、全体的または部分的に、実行されうる。
【００６０】
ステージ７０５において、共通タイミングパラメータは、アクセス端末からの多数の無線キャリアの各線キャリア上での同時の不連続アップリンク送信のために確立される。ステージ７１０において、第１の動作可能な状態は、無線キャリアのうちの第１のキャリアに対して識別される。ステージ７１５において、第１の動作可能な状態とは異なる第２の動作可能な状態は、無線キャリアのうちの第２のキャリアに対して識別される。ここにおいて、第１の動作可能な状態と第２の動作可能な状態は、それぞれ各キャリア上で同時に動作しうる。
【００６１】
図８は、マルチキャリア不連続アップリンク送信の管理をするための方法８００のフローチャートである。方法８００は、例えば、図１または２のＡＴ １１５、または、より具体的には、図２または３のプロセッサモジュール２２５によって、全体的または部分的に実行されうる。方法８００の１つ以上の態様が、図１または４のＢＳＣ １２０、図４または５のプロセッサモジュール４２５、あるいは、図１のＢＴＳ １０５によって、全体的または部分的に、実行されうる。
【００６２】
ステージ８０５において、共通タイミングパラメータが、アクセス端末からの同時送信に使用可能な多数の無線キャリア上での不連続アップリンク送信のために識別される。ステージ８１０において、第１の動作可能な状態は、無線キャリアのうちの第１のキャリアに対して識別される。ステージ８１５において、第１の動作可能な状態とは異なる第２の動作可能な状態は、無線キャリアのうちの第２のキャリアに対して識別される。ステージ８２０において、第１のキャリアが、共通タイミングパラメータに従って、第１の動作可能な状態で動作させられる。ステージ８２５において、第２のキャリアが、共通タイミングパラメータに従って、第２の動作可能な状態で動作させられる。なお、第２のキャリアは、第１の動作可能な状態で動作されている第１のキャリアと同時に第２の動作可能な状態で動作する。
【００６３】
図９は、アクセス端末からのマルチキャリア不連続アップリンク送信の管理をするための方法９００のフローチャートである。方法９００は、例えば、図１または２のＡＴ １１５によって、あるいは、より具体的には、図２または３のプロセッサモジュール２２５によって、全体的または部分的に実行されうる。
【００６４】
ステージ９０５において、共通タイミングパラメータは、アクセス端末からの同時送信に使用可能な２つの無線キャリア上での不連続アップリンク送信のために受信され、共通タイミングパラメータは、バーストサイズおよび複数のバースト間のインターバルを含む。ステージ９１０において、定義された時間の持続時間にわたって、無線キャリアの各キャリアに適用されるべき動作可能な状態に関連するスケジュール情報が受信される。ステージ９１５において、無線キャリアの各キャリアに適用されるべき動作可能な状態が、スケジュール情報に従って識別される。
【００６５】
ステージ９２０において、第１のキャリアは、定義された持続時間の一部の間、共通タイミングパラメータおよびスケジュール情報に従って、データ送信状態で動作される。ステージ９２５において、第２のキャリアは、その定義された持続時間の一部の間、共通タイミングパラメータおよびスケジュール情報に従って、非アクティブデータ送信期間中の周期的バースト状態で動作される。
【００６６】
ＵＭＴＳ記述
本明細書における図１０〜１４についてのさらなる記述は、本開示の概念が適用されうるＵＭＴＳに従って動作する無線ネットワーク１０００（図１のシステム１００でありうる）の例である。まず、図１０について、ノードＢ １００５（図１のＢＴＳ １０５でありうる）および無線ネットワークコントローラ（ＲＮＣ）１０２０（図１または４のＢＳＣ １２０でありうる）は、無線ネットワーク１０００の一部である。無線ネットワークは、ＵＭＴＳ地上無線アクセスネットワーク（ＵＴＲＡＮ）でありうる。ＵＴＲＡＮは、ＵＭＴＳ無線アクセスネットワークを形成し、それが含んでいる、ノードＢ １００５（または、基地局）と、ノードＢ １００５のための制御機器（またはＲＮＣ １０２０）に対する集合語である。これは、実時間回路交換トラフィックタイプおよびＩＰベースのパケット交換トラフィックタイプの両方を搬送することができる３Ｇ通信ネットワークである。ＵＴＲＡＮは、ユーザ機器（ＵＥ）１０１５（図１または２のＡＴ １１５でありうる）にエアインターフェースアクセス方法を提供する。接続性が、ＵＴＲＡによって、ＵＥ １０１５とコアネットワーク１０２５との間に提供される。無線ネットワーク１０００は、複数のＵＥ １０１５の間でデータパケットを転送しうる。
【００６７】
ＵＴＲＡＮは、内部的または外部的に、Ｉｕ、Ｕｕ、Ｉｕｂ、ｌｕｒという４つのインターフェースで別の機能エンティティに、接続される。ＵＴＲＡＮは、Ｉｕと呼ばれる外部インターフェースを介してＧＳＭコアネットワーク１０２５に接続される。ＲＮＣ １０２０は、このインターフェースをサポートする。加えて、ＲＮＣ １０２０は、Ｉｕｂとラベル付けされたインターフェースを介して、ノードＢ １００５と呼ばれる基地局のセットを管理する。Ｉｕｒインターフェースは、２つのＲＮＣ １０２０−ａと１０２０−ｂとを互いに接続する。ＵＴＲＡＮは、複数のＲＮＣ １０２０が、Ｉｕｒインターフェースによって相互接続されるため、大部分がコアネットワーク１０２５から自律している。図１０は、ＲＮＣ １０２０、ノートＢ １００５、ＩｕおよびＵｕインターフェースを使用する通信システム開示する。Ｕｕは、外付けインターフェースであり、ノードＢ １００５をＵＥ １０１５と接続し、Ｉｕｂは、ＲＮＣ １０２０をノードＢ １００５と接続する内臓インターフェースである。
【００６８】
無線ネットワーク１０００は、上述されたように、企業イントラネット、インターネット、または、従来の公衆電話交換ネットワークのような、無線ネットワーク１００の外の追加のネットワークにさらに接続され、各ＵＥデバイス１０１５とそのような外部ネットワークとの間でデータパケットを転送することができる。
【００６９】
図１１は、通信ネットワーク１１００の選択されたコンポーネントを示す。通信ネットワーク１１００は、ノードＢ １００５に結合されたＲＮＣ １０２０を含む。上述されたように、ノードＢ １００５は、図１のＢＴＳ １０５であり、ＲＮＣ １０２０は、図１または４のＢＳＣ １２０でありうる。ノードＢ １００５は、対応する無線接続１１３５、１１４０、１１４５、１１５０を通してＵＥ １０１５と通信する。上に記述されたように、通信チャネルは、ノードＢ １００５からＵＥ １０１５への送信のための順方向リンク（ＦＬ）（ダウンリンクとしても知られている）１１３５と、ＵＥ １０１５からノードＢ １００５への送信のための逆方向リンク（ＲＬ）（アップリンクとしても知られている）１１４０とを含む。本開示全体を通して記述される機能性の大半は、アップリンク上での不連続送信に関する。ＲＮＣ １０２０は、１つ以上のノードＢ １００５に制御機能を提供する。ＲＮＣ １０２０は、モバイル切換センタ（ＭＳＣ）１１１０を通して公衆電話交換ネットワーク（ＰＳＴＮ）１１０５に結合される。別の例において、ＲＮＣ １０２０は、パケットデータサーバノード（ＰＤＳＮ）（図示されない）を通してパケット交換ネットワーク（ＰＳＮ）（図示されない）に結合される。ＲＮＣ １０２０およびパケットデータサーバノードなどの様々なネットワークエレメント間でのデータ交換は、例えば、インターネットプロトコル（ＩＰ）、非同期転送モード（ＡＴＭ）プロトコル、Ｔ１、Ｅ１、フレームリレー、または別のプロトコルのようなプロトコルを、任意の数、使用して実施されうる。
【００７０】
各ＲＮＣ １０２０は、複数の役目を満たす。第１に、それは、ノードＢ １００５を使用しようとする新しいＵＥ １０１５またはサービスの承認を制御しうる。第２に、ノードＢ １００５、すなわち基地局の観点から、ＲＮＣ １０２０は、制御ＲＮＣ（controlling ＲＮＣ）１０２０である。承認を制御することによって、ＵＥ １０１５は、ネットワークが利用可能な限度まで、無線リソース（帯域幅および信号／雑音比）を割り当てることを確実にする。ＲＮＣ １０２０は、ノードＢのＩｕｂインターフェースの終端である。ＵＥ １０１５の観点から、ＲＮＣ １０２０は、サービングＲＮＣ １０２０として機能し、ＵＥ １０１５のリンク層通信を終了させる。コアネットワークの観点から、サービングＲＮＣ １０２０は、ＵＥ １０１５のためにＩｕを終了させる。サービングＲＮＣ １０２０は、さらに、そのＩｕインターフェースを通してコアネットワークを使用しようとする新しいＵＥ １０１５またはサービスの承認を制御する。
【００７１】
エアインターフェースについて、ＵＭＴＳは、広域符号分割多元接続（すなわち、Ｗ−ＣＤＭＡ）として知られる広域スペクトル拡散モバイルエアインターフェースを最も一般的に使用する。Ｗ−ＣＤＭＡは、ユーザを分けるために、直接拡散方式符号分割多元接続シグナリング方法（すなわちＣＤＭＡ）を使用する。Ｗ−ＣＤＭＡは、モバイル通信のための第３世代標準である。Ｗ−ＣＤＭＡは、限られたデータ容量で、音声通信に指向された第２世代標準であるＧＳＭ（Global System for Mobile Communications）／ＧＰＲＳから進化した。Ｗ−ＣＤＭＡの最初の商業展開は、Ｗ−ＣＤＭＡリリース９９と呼ばれる標準のバージョンに基づく。
【００７２】
リリース９９仕様は、アップリンクパケットデータを可能にする２つの技術を定義する。通常、データ送信は、個別チャネル（ＤＣＨ）またはランダムアクセスチャネル（ＲＡＣＨ）を使用してサポートされる。しかしながら、ＤＣＨは、パケットデータサービスをサポートするためのプライマリチャネルである。各ＵＥ １０１５は、直交可変拡散係数（ＯＶＳＦ）コードを使用する。ＯＶＳＦコードは、個々の通信チャネルを一意的に識別することを容易にする直交コードである。加えて、マイクロダイバーシティが、ソフトハンドオーバを使用してサポートされ、閉ループ電力制御が、ＤＣＨで用いられる。
【００７３】
擬似ランダム雑音（ＰＮ）シーケンスは、一般的に、送信パイロット信号を含む送信データを拡散するためにＣＤＭＡシステムで使用される。ＰＮシーケンスの単一の値を送信するために要求される時間は、チップとして知られており、チップが変化するレートはチップレートとして知られている。直接拡散ＣＤＭＡシステムの設計の固有性は、受信機が、そのＰＮシーケンスを、ノードＢ １００５のＰＮシーケンスに割り当てることである。Ｗ−ＣＤＭＡ標準によって定義されるシステムのようないくつかのシステムは、プライマリスクランブリングコードとして知られている一意的なＰＮコードを各々に対して使用し、ノードＢ １００５を区別する。Ｗ−ＣＤＭＡ標準は、ダウンリンクをスクランブルするための２つのゴールドコードシーケンスを定義する。１つは同相コンポーネント（Ｉ）用であり、もう１つは、直交（Ｑ）用である。ＩおよびＱのPNシーケンスは、共に、データ変調なく、セル全体に同報される。この同報は、共通パイロットチャネル（ＣＰＩＣＨ）と呼ばれうる。生成されたＰＮシーケンスは、３８４００チップの長さに切り捨てられる。３８４００チップの周期は、無線フレームと呼ばれる。各無線フレームは、スロットとばれる、１５個の均等なセクションに分割される。Ｗ−ＣＤＭＡのノードＢ １００５は、互いに関連して非同時に動作し、そのため、１つのノードＢ １００５のフレームタイミングの知識は、任意の別のノードＢ １００５のフレームタイミングの知識に変換されない。この知識を獲得するために、Ｗ−ＣＤＭＡシステムは、同期チャネルおよびセル探索技術を使用する。
【００７４】
３ＧＰＰリリース５および後続のリリースは、高速ダウンリンクパケットアクセス（ＨＳＤＰＡ）をサポートする。３ＧＰＰリリース６よび後続のリリースは、高速アップリンクパケットアクセス（ＨＳＵＰＡ）をサポートする。ＨＳＤＰＡおよびＨＳＵＰＡは、それぞえ、ダウンリンクおよびアップリンク上の高速パケットデータ伝送を可能にするチャネルおよび手順のセットである。リリース７ ＨＳＰＡ＋は、改良を３つ行い、データレートを改善する。第１に、それは、ダウンリンク上の２×２ ＭＩＭＯに対するサポートを導入する。ＭＩＭＯの場合、ダウンリンク上でサポートされるピークデータレートは、２８ Ｍｂｐｓである。第２に、より高いオーダ変調が、ダウンリンク上に導入される。ダウンリンク上で６４ ＱＡＭを使用することによって、２１ Ｍｂｐｓのピークデータレートが可能になる。第３に、より高いオーダ変調が、アップリンクに導入される。アップリンク上で１６ ＱＡＭを使用することによって、１１ Ｍｂｐｓのピークデータレートが可能になる。
【００７５】
ＨＳＵＰＡにおいて、ノードＢ １００５は、いくつかのＵＥ １０１５が、同時に、ある電力レベルで送信することを可能にする。これらのグラントは、短期ベースで（数十ミリ秒ごとに）リソースを割り当てる高速スケジューリングアルゴリズムを使用することによって、ユーザに割り当てられる。ＨＳＵＰＡの高速スケジューリングは、パケットデータのバースト的な性質に適している。ユーザは、低アクティビティ期間の間、少ない帯域幅を獲得するか、あるいは、帯域幅を獲得しない一方で、高アクティビティの期間の間、より高い割合の利用可能なリソースを獲得する。
【００７６】
３ＧＰＰリリース５ＨＳＤＰＡにおいて、アクセスネットワークのノードＢ １００５は、高速ダウンリンク共有チャネル（ＨＳ−ＤＳＣＨ）上でダウンリンクペイロードデータを、高速共有制御チャネル（ＨＳ−ＳＣＣＨ）上でダウンリンクデータと関連付けられた制御情報をＵＥ １０１５に送信する。データ送信に使用される２５６個の直交可変拡散係数（ＯＶＳＦまたはウォルシュ）符号が存在する。ＨＳＤＰＡシステムにおいて、これらの符号は、典型的に、セルラ電話方式（音声）に使用されるリリース１９９９（従来のシステム）の符号と、データサービスに使用されるＨＳＤＰＡ符号とに分割される。各送信時間インターバル（ＴＴＩ）について、ＨＳＤＰＡが有効なＵＥ １０１５に送信される専用制御情報は、符号空間内のどの符号がダウンリンクペイロードデータ（無線ネットワークの制御データ以外のデータ）をデバイスに送信するために使用されうるかと、ダウンリンクペイロードデータの送信に使用されうる変調とをデバイスに示す。
【００７７】
ＨＳＤＰＡ動作の場合、ＵＥ １０１５へのダウンリンク送信は、１５個の利用可能なＨＳＤＰＡ ＯＶＳＦ符号を使用して、異なる送信時間インターバルに対してスケジュールされうる。所与のＴＴＩについて、各ＵＥ １０１５は、そのＴＴＩの間、デバイスに割り当てられたダウンリンク帯域幅に依存して、１５個のＨＳＤＰＡ符号のうちの１つ以上を使用している。
【００７８】
ＭＩＭＯシステムにおいて、送信アンテナおよび受信機アンテナから、Ｎ（送信機アンテナの数）かけるＭ（受信機アンテナの数）個の信号経路が存在し、これらの経路上の信号は同一ではない。ＭＩＭＯは、複数のデータ送信パイプを作成する。パイプは、時空間ドメインにおいて直交である。パイプの数は、システムのランクに等しい。これらのパイプが時空間ドメインにおいて直交であるため、それらは、互いに、ほとんど干渉を起こさない。データパイプは、Ｎ×Ｍ個の経路上の信号を適切に結合することによって、適切なデジタル信号処理で認識されうる。送信パイプは、アンテナ送信チェーン、あるいは、いずれか１つの特定の送信経路に対応しない。
【００７９】
通信システムは、単一キャリア周波数またはマルチキャリア周波数を使用しうる。各リンクは、異なる数のキャリア周波数を組み込みうる。さらに、ＵＥ １０１５は、無線チャネルを通して、まてたは、例えば、光ファイバーケーブルまたは同軸ケーブルを使用する有線チャネルを通して通信する任意のデータデバイスでありうる。ＵＥ １０１５は、ＰＣカード、コンパクトフラッシュ（登録商標）、内蔵モデムまたは外付けモデム、あるいは、無線または有線電話を含むがそれに限定されない様々なタイプのデバイスのいずれかでありうる。
【００８０】
１つ以上ノードＢ １００５とのアクティブトラフィックチャネル接続を確立したＵＥ １０１５は、アクティブＵＥ １０１５と呼ばれ、トラフィク状態にあると言われる。１つ以上のノードＢ １００５とのアクティブトラフィックチャネル接続を確立中のＵＥ １０１５は、接続セットアップ状態にあると言われる。ＵＥ １０１５がノードＢ １００５に信号を送信する通信リンクは、アップリンク１０３５と呼ばれる。ノードＢ １００５が、ＵＥ １０１５に信号を送信する通信リンクは、ダウンリンク１０４０と呼ばれる。
【００８１】
本明細書において図１２が次に詳述され、ノードＢ １００５−ｄ（図１のＢＴＳ １０５でありうる）およびＲＮＣ １０２０−ｇ（図１または４のＢＳＣ １２０でありうる）が、パケットネットワークインターフェース１２３０と通信状態にある例を提供する。（図１２において、簡潔さのために、複数のノードＢ １００５のうちの１つと、複数のＲＮＣ １０２０のうちの１つのみが示される）ノードＢ １００５−ｄおよびＲＮＣ １０２０−ｇは、無線ネットワーク１０３０−ａの一部であり、それは、図１２で、１つ以上のノードＢ １００５および１つのＲＮＣ １０２０を囲む点線で示されうる。送信されるべき関連データ量は、ノードＢ １００５−ｄのデータ待ち行列１２０５から検索され、そのデータ待ち行列１２０５と関連付けられたＵＥ １０１５に送信するためのチャネルエレメント１２１０に提供される。
【００８２】
ＲＮＣ １０２０−ｇは、モバイル切換センタ１１１０−ａを通して公衆電話交換ネットワーク（ＰＳＴＮ）１１０５−ａとインターフェースする。さらに、ＲＮＣ １０２０−ｇは、無線ネットワーク１０００のノードＢ １００５とインターフェースする（簡潔さのために、図１２には、１つのノードＢ １００５のみが示される）。加えて、ＲＮＣ １０２０−ｇは、パケットネットワークインターフェース１２３０とインターフェースする。ＲＮＣ １０２０−ｇは、無線ネットワーク１０００のＵＥ １０１５と、パケットネットワークインターフェース１２３０およびＰＳＴＮ １１０５−ａに接続された別のユーザとの間での通信を協調する。ＰＳＴＮ １１０５−aは、標準的な電話ネットワーク（図１２に図示されない）を通してユーザとインターフェースする。
【００８３】
ＲＮＣ １０２０−ｇは、簡潔さのために１つだけが図１２に示されているが、多数のセクタエレメント１２３５を含む。各セレクタエレメント１２３５は、１つ以上のノードB１００５と１つのＵＥ １０１５（図示されない）との間の制御通信に割り当てられる。セレクタエレメント１２３５が、所与のＵＥ １０１５に割り当てられなかった場合、呼制御プロセッサ１２４０は、ＵＥ １０１５をページングすべき旨の要求を知らされる。呼制御プロセッサ１２４０は、ＵＥ １０１５をページングするために、ノードＢ １００５−ｄを指揮する。
【００８４】
データソース１２４５は、所与のＵＥ １０１５に送信されるべきデータ量を含む。データソース１２４５は、データをパケットネットワークインターフェース１２３０に提供する。パケットネットワークインターフェース１２３０は、データを受信し、そのデータをセレクタエレメント１２３５にルーティングする。セレクタエレメント１２３５は、ターゲットＵＥ １０１５と通信状態にあるノードＢ １００５−ｄにデータを送信する。例示的な例において、各ノードＢ １００５は、ＵＥ １０１５に送信されるべきデータを記憶するデータ待ち行列１２０５を保持する。
【００８５】
各データパケットについて、チャネルエレメント１２１０は、必要な制御フィールドを挿入する。チャネルエレメント１２１０は、データパケットおよび制御フィールドの周期冗長検査ＣＲＣ符号化を実行し、符号テールビットのセットを挿入する。データパケット、制御フィールド、ＣＲＣパリティビット、および符号テールビットは、フォーマット化されたパケットを備える。チャネルエレメント１２１０は、フォーマット化されたパケットを符号化し、符号化パケット内のシンボルをインターリーブ（あるいは、再配列）する。インターリーブされたパケットは、ウォルシュ符号でカバーされ、短期ＰＮＩおよびＰＮＱ符号で拡散される。拡散データは、信号を、直交変調、フィルタ、および増幅するＲＦユニット１２２０に提供される。ダウンリンク信号は、無線で、アンテナを通してダウンリンクに送信される。ノードＢ １００５−ｄのメモリ１２５５は、ランダムアクセスメモリ（ＲＡＭ）および読取専用メモリ（ＲＯＭ）を含みうる。制御ユニット１２５０は、例えば、インテル社またはＡＭＤによって製造されるもののような中央処理装置（ＣＰＵ）、マイクロコントローラ、特別用途向け集積回路（ＡＳＩＣ）などのインテリジェントハードウェアデバイスでありうる。ノードＢ １００５−ｄは、実行されると、制御ユニット１２５０に、本明細書に記述されたノードＢ機能性を実行させるように構成された命令を含むコンピュータ読取可能、コンピュータ実行可能ソフトウェアコード１２１５を、例えば、メモリ１２５５に、記憶しうる。
【００８６】
ＵＥ １０１５において、ダウンリンク信号は、アンテナによって受信され、受信機に送られる。受信機は、信号を、フィルタ、増幅、直交復調、および量子化する。デジタル化信号は、デジタル化信号が短期ＰＮＩおよびＰＮＱ符号で逆拡散され、ウォルシュカバーでカバー除去（decover）される復調器（ＤＥＭＯＤ）に提供される。復調されたデータは、ノードＢ １００５−ｄで行われた信号処理機能の逆、具体的には、デインターリービング、復号、ＣＲＣチェック機能を実行する復号器に提供される。復号データはデータシンクに提供される。
【００８７】
図１３は、ユーザ機器（ＵＥ）１０１５−ｆが、送信回路１３０５（ＰＡ １３１０を含む）、受信回路１３１５、電力コントローラ１３２０、復号プロセッサ１３２５、信号処理に使用する処理ユニット１３３０、メモリ１３３５、および１つ以上のアンテナを含むＵＥ１０１５−ｆの例１３００を示す。ＵＥ １０１５−ｆは、図１または２に関して記述されたＡＴ １１５の例でありうる。送信回路１３０５および受信回路１３１５は、ＵＥ １０１５−ｆと、リモートロケーションとの間で、オーディオ通信などのデータの送受信を可能にする。送信回路１３０５および受信回路１３１５は、アンテナ１３４５に結合される。
【００８８】
処理ユニット１３３０は、ＵＥ １０１５の動作を制御する。処理ユニット１３３０は、さらに、ＣＰＵとも呼ばれうる。読取専用メモリ（ＲＯＭ）およびランダムアクセスメモリ（ＲＡＭ）の両方を含みうるメモリ１３３５は、命令およびデータを処理ユニット１３３０に提供する。メモリ１３３５の一部は、さらに、不揮発性ランダムアクセスメモリ（ＮＶＲＡＭ）を含みうる。
【００８９】
ＵＥ １０１５の様々なコンポーネントは、データバスに加えて電力バス、制御信号バス、および状態信号バスを含みうるバスシステム１３５０によって互いに結合される。簡潔さのために、様々なバスが、バスシステム１３５０として図１３に示される。
【００９０】
記述された方法のステップは、さらに、図３に示されるように、ノードＢ １０５のメモリ１３３５に位置するソフトウェアまたはファームウェア１３４０の形で命令として記憶されうる。これらの命令は、図３のノードＢ １０５の制御ユニット３５０によって実行されうる。あるいは、または、それに関して、議論された方法のステップは、ＵＥ １０１５のメモリ１３３５に位置するソフトウェアまたはファームウェア１３４０の形で命令として記憶されうる。これらの命令は、図１３のＵＥ １０１５の処理ユニット１３３０によって実行されうる。
【００９１】
図１４は、ＵＥ １０１５から送信するための例示的な機能ブロックフロー図１４００を示す。データソース１４０５は、データｄ（ｔ）１４０６を、ＦＱＩ／符号器１４１０に提供する。ＦＱＩ／符号器１４１０は、周期冗長検査（ＣＲＣ）のようなフレーム品質インジケータ（ＦＱＩ）をデータｄ（ｔ）１４０６に追加しうる。ＦＱＩ／符号器１４１０は、１つ以上の符号化スキームを使用してデータおよびＦＱＩをさらに符号化しテ符号化シンボル１４１１を提供する。各符号化スキームは、例えば、畳み込み符号化、ターボ符号化、ブロック符号化、反復符号化、別のタイプの符号化などの１つ以上の符号化タイプを含むか、あるいは、符号化をまったく含まない。別の符号化スキームは、自動反復要求（ＡＲＱ）、ハイブリッドＡＲＱ（Ｈ−ＡＲＱ）、増分冗長反復技術（incremental redundancy repeat technique）を含みうる。異なるタイプのデータは、異なる符号化スキームを用いて符号化されうる。
【００９２】
インターリーバ１４１５は、フェーディングに打ち勝つために迅速に符号化データシンボル１４１１をインターリーブし、シンボル１４１５を生成する。インターリーブされた信号のシンボル１４１６は、フレームフォーマットブロック１４２０によって、既定のフレームフォーマットにマッピングされ、フレーム１４２１を生成する。フレームフォーマットは、複数のサブセグメントで構成されているフレームを指定しうる。サブセグメントは、例えば、時間、周波数、符号などの所与の次元、または任意の別次元に沿った、フレームの任意の連続部分である。フレームは、一定の複数のそのようなサブセグメントから成り、各サブセグメントは、フレームに割り当てられたシンボルの総数の一部を含む。例えば、Ｗ−ＣＤＭＡ標準に従って、サブセグメントは、スロットと定義されうる。ｃｄｍａ２０００標準に従って、サブセグメントは、電力制御グループ（ＰＣＧ）と定義されうる。一例において、インターリーブされたシンボル１４１６は、フレーム１４２１を作る複数（Ｓ個）のサブセグメントにセグメント化される。
【００９３】
フレームフォーマットは、インターリーブされたシンボル１４１６と共に、例えば、制御シンボル（図示されない）を含むことをさらに指定しうる。そのような制御シンボルは、例えば、電力制御シンボル、フレームフォーマット情報シンボルなどを含みうる。
【００９４】
変調器１４２５は、フレーム１４２１を変調し、変調データ１４２６を生成する。変調技術の例は、二位相偏移変調（ＢＰＳＫ）および直交偏移位相（ＱＰＳＫ）を含む。変調器１４２５は、さらに、変調データのシーケンスを反復しうる。
【００９５】
ベースバンド／無線周波数（ＲＦ）転換ブロック１４３０は、１つ以上のアンテナ１４３５を介して、無線通信リンクを通して、１つ以上のノードＢ １００５に信号１４３６として送信するために、変調信号１４２６をＲＦ信号に転換しうる。本明細書に関して考慮すべき事柄
添付された図に関して上に示された発明の詳細な説明は例示的な例を記述しており、実施されうる、または、特許請求の範囲内の唯一の例を表すものではない。本記述全体を通して使用される「例示的」という用語は、「例証、実例、または例示として提供される」を意味しており、「好まれる」または「他の例よりも優れている」を意味しない。発明の詳細な説明は、記述された技術の完全な理解を提供する目的のために特定の詳細を含む。しかしながら、これらの技術は、これらの特定な詳細なく実行されうる。いくつかの例において、記述された例のコンセプトを不明瞭にしないために、周知の構造およびデバイスが、ブロック図の形態で示される。
【００９６】
情報および信号は、多種多様なテクノロジおよび技術のいずれかを使用して表されうる。例えば、上記全体を通して参照されるデータ、指示、命令、情報、信号、ビット、シンボル、およびチップは、電圧、電流、電磁波、磁場または粒子、光電場または光粒子、あるいは、それらのあらゆる組み合わせによって表されうる。
【００９７】
本明細書に開示された態様と関連して記述される様々な実例となる論理、論理ブロック、モジュール、回路は、汎用のプロセッサ、デジタル信号プロセッサ（ＤＳＰ）、特定用途向けIC（ＡＳＩＣ）、書替え可能ゲートアレイ（ＦＰＧＡ）または他のプログラマブル論理デバイス、ディスクリートゲートまたはトランジスタ論理、ディスクリートハードウェアコンポーネント、あるいは、本明細書に記述された機能を実行するよう設計されたこれらの任意の組み合わせと一緒に実行または実施される。汎用プロセッサはマイクロプロセッサであるが、代替で、プロセッサは任意の従来のプロセッサ、コントローラ、マイクロコントローラ、または状態機械でありうる。プロセッサは、さらに、例えば、ＤＳＰとマクロプロセッサ、複数のマイクロプロセッサ、ＤＳＰコアに結合した１つ以上のマイクロプロセッサ、その他の上記構成の組み合わせといった計算デバイスの組み合わせとしても実施されうる。
【００９８】
本明細書に記述された機能は、ハードウェア、プロセッサによって実行されるソフトウェアファームウェア、またはそれらの組み合わせに実施される。プロセッサによってソフトウェアに実施された場合、その機能はコンピュータ読取可能媒体上の１つ以上の命令またはコードとして記憶または送信される。コンピュータ読取可能媒体は、コンピュータ記憶媒体と、ある箇所から別の箇所へのコンピュータプログラム移送を容易にする任意の媒体を含む通信媒体との両方を含む。記憶媒体は、汎用コンピュータまたは専用コンピュータによりアクセスされることができる任意の利用可能な媒体である。それに制限されない例として、そのようなコンピュータ読取可能媒体は、ＲＡＭ、ＲＯＭ、EＥＰＲＯＭ、ＣＤ−ＲＯＭまたは別の光学ディスク記憶装置、磁気ディスク記憶装置または別の磁気記憶デバイス、あるいは、汎用コンピュータまたは専用コンピュータ、もしくは、汎用プロセッサまたは専用プロセッサによってアクセスされることができ、命令やデータ構造形で所望のプログラムコード手段を搬送または記憶するために使用されうる任意の別媒体を備えることができる。また、任意の接続は、適切に、コンピュータ読取可能媒体と呼ばれる。例えば、同軸ケーブル、光ファイバーケーブル、撚線対、デジタル加入者回線（ＤＳＬ）、または赤外線、無線、マイクロ波などの無線テクノロジを使用してウェブサイト、サーバ、または他のリモートソースからソフトウェアが送信されると、同軸ケーブル、光ファイバーケーブル、撚線対、ＤＳＬ、または赤外線、無線、マイクロ無線などの無線テクノロジは媒体の定義に含まれる。ディスク（ｄｉｓｋ）とディスク（ｄｉｓｃ）は、本明細書で使用されているように、コンパクトディスク（ＣＤ）、レーザディスク、光ディスク、デジタル多用途ディスク（ＤＶＤ）、フロッピー（登録商標）ディスク、ブルーレイ（登録商標）ディスクを含む。ディスク（ｄｉｓｋ）は通常磁気作用によってデータを再生し、ディスク（ｄｉｓｃ）はレーザーで光学的にデータを再生する。上記の組み合わせもコンピュータ読取可能媒体の範囲内に含まれるべきである。
【００９９】
本開示の以上の記述は、当業者が本開示を実施および使用することを可能にするために提供される。本開示に対する様々な変更は当業者には容易に明らかであり、本明細書において定義された包括的な原理は、本開示の精神または範囲を逸脱することなく他の変形に適用されうる。本開示全体を通して、「例」または「例示的」という用語は例またはインスタンスを示し、示される例についての任意の選好を暗示または要求しない。従って、本開示は本明細書に記載の例および設計に制限されるものではなく、本明細書で開示される原理および新規な特徴と合致する最も広い範囲が与えられるべきである。
以下に、本願出願の当初の特許請求の範囲に記載された発明を付記する。
［Ｃ１］
無線通信システムのアクセス端末であって、該アクセス端末は下記を備える：
無線通信を送信および受信するように構成された１つ以上のアンテナ；
前記アンテナに結合されたトランシーバ；
前記アクセス端末からの同時送信に使用可能な複数の無線キャリアの各キャリア上での不連続アップリンク送信のために共通タイミングパラメータを識別するデータを記憶するメモリ；および
前記トランシーバおよび前記メモリに結合されたプロセッサ：
なお、該プロセッサは、下記を実行するように構成される：
前記複数の無線キャリアのうちの第１のキャリアと関連付けられるべき第１の動作可能な状態を識別すること；
前記複数の無線キャリアのうちの第２のキャリアと関連付けられるべき前記第１の動作可能な状態とは異なる第２の動作可能な状態を識別すること；および
前記トランシーバに、前記共通タイミングパラメータに従って、前記第１の動作可能な状態で前記第１のキャリア上で、且つ、前記第２の動作可能な状態で前記第２のキャリア上で、同時に動作させること。
［Ｃ２］
前記第１の動作可能な状態はデータ送信状態を備え、
前記第２の動作可能な状態は、非アクティブデータ送信期間中の周期的バースト状態を備える、Ｃ１に記載のアクセス端末。
［Ｃ３］
前記第１の動作可能な状態は、非アクティブデータ送信期間中の第１の周期的バースト状態を備え、
前記第２の動作可能な状態は、非アクティブデータ送信期間中の第２の周期的バースト状態を備え、ここにおいて、前記第１の周期的バースト状態よりも前記第２の周期的バースト状態において、複数のバースト間の持続時間は長い、Ｃ１に記載のアクセス端末。
［Ｃ４］
前記共通タイミングパラメータは、非アクティブデータ送信期間中のバースト送信に対して、同一のバースト長を備える、Ｃ１に記載のアクセス端末。
［Ｃ５］
前記共通タイミングパラメータは、非アクティブデータ送信期間中の、同一のバースト間の時間を備える、Ｃ１に記載のアクセス端末。
［Ｃ６］
前記共通タイミングパラメータは、
第１の非アクティブデータ送信期間中の複数のバースト間の、同一の第１の時間と、
第２の非アクティブデータ送信期間中の複数のバースト間の、前記第１の時間よりも長い、同一の第２の時間とを備え
前記第２の非アクティブ期間は、非アクティブタイマが閾値を超えると、それぞれのキャリアに対して発生する、Ｃ１に記載のアクセス端末。
［Ｃ７］
前記共通タイミングパラメータは、同一の比アクティブ閾値を備える前記閾値を備える、Ｃ６に記載のアクセス端末。
［Ｃ８］
前記第１の動作可能な状態および前記第２の動作可能な状態は、共通および同期送信タイミングインターバルを有する、Ｃ１に記載のアクセス端末。
［Ｃ９］
前記第１のキャリアおよび前記第２のキャリアは、隣接キャリアを備える、Ｃ１に記載のアクセス端末。
［Ｃ１０］
前記プロセサは、さらに、
前記複数の無線キャリアのうちの第３のキャリアと関連付けられるべき前記第２の動作可能な状態を識別し、
前記トランシーバに、前記共通タイミングパラメータに従って、前記第２の動作可能な状態で前記第３のキャリア上で動作させる
ように構成される、Ｃ１に記載のアクセス端末。
［Ｃ１１］
前記プロセッサは、前記トランシーバに、前記第２の動作可能な状態で前記第２のキャリア上で、且つ、前記第２の動作可能な状態で前記第３のキャリア上で、同時に動作させるように構成され、前記第２のキャリアおよび前記第３のキャリアは、共通および同期送信タイミングインターバルを有する、Ｃ１に記載のアクセス端末。
［Ｃ１２］
前記プロセッサは、さらに、
前記アクセス端末において前記第１のキャリア上で、前記第１の動作可能な状態についてのスケジュール情報を受信し、
前記アクセス端末において、前記第２のキャリア上で、前記第２の動作可能な状態についてのスケジュール情報を受信する
ように構成される、Ｃ１に記載のアクセス端末。
［Ｃ１３］
複数の無線キャリア上での不連続アップリンク送信のためのデバイスであって、該デバイスは、下記を備える：
前記デバイスからの同時送信に使用可能な複数の無線キャリアの各キャリア上での不連続アップリンク送信に使用されるべき共通タイミングパラメータを識別するための手段；
前記複数の無線キャリアのうちの第１のキャリアと関連付けられるべき第１の動作可能な状態を識別するための手段；
前記複数の無線キャリアのうちの第２のキャリアと関連付けられるべき、前記第１の動作可能な状態とは異なる第２の動作可能な状態を識別するための手段；
前記第１のキャリアが、前記共通タイミングパラメータに従って、前記第１の動作可能な状態で動作されるようにするための手段；および
前記第２のキャリアが、前記共通タイミングパラメータに従って、前記第２の動作可能な状態で動作されるようにするための手段、ここにおいて、前記第２のキャリアは、前記第１の動作可能な状態で動作されている前記第１のキャリアと同時に、前記第２の動作可能な状態で動作される。
［Ｃ１４］
前記第１の動作可能な状態はデータ送信状態を備え、
前記第２の動作可能な状態は、第２のキャリア上での非アクティブデータ送信期間中の周期的バースト状態を備える、Ｃ１３に記載のデバイス。
［Ｃ１５］
前記第１の動作可能な状態および前記第２の動作可能な状態は、共通送信タイミングインターバルを有する、Ｃ１３に記載のデバイス。
［Ｃ１６］
プロセッサ読取可能媒体上に存在するコンピュータプログラム製品、ただし、該コンピュータプログラム製品は、プロセッサ読取可能命令を備え、該命令は、プロセッサに、下記を実行させるように構成される：
アクセス端末からの同時送信に使用可能な複数の無線キャリアの各キャリア上での不連続アップリンク送信に使用されるべき共通タイミングパラメータを識別すること；
前記複数の無線キャリアのうちの第１のキャリアと関連付けられるべき第１の動作可能な状態を識別すること；
前記複数の無線キャリアのうちの第２のキャリアと関連付けられるべき、前記第１の動作可能な状態とは異なる第２の動作可能な状態を識別すること；
前記第１のキャリアを、前記共通タイミングパラメータに従って、前記第１の動作可能な状態で動作させること；および
前記第２のキャリアを、前記共通タイミングパラメータに従って、前記第２の動作可能な状態で動作させること。
［Ｃ１７］
前記第１のキャリアに、前記第１の動作可能な状態で動作させることを、前記プロセッサに引き起こさせるように構成された前記プロセッサ読取可能命令は、前記プロセッサに、前記第１の動作可能な状態のスケジュール情報を前記アクセス端末に送信させる命令を備え、
前記第２のキャリアに、前記第２の動作可能な状態で動作させることを、前記プロセッサに引き起こさせるように構成された前記プロセッサ読取可能命令は、前記プロセッサに、前記第２の動作可能な状態のスケジュール情報を前記アクセス端末に送信させる命令を備える、Ｃ１６に記載のコンピュータプログラム製品。
［Ｃ１８］
前記プロセッサ読取可能命令は、前記プロセッサに、下記を実行させる命令をさらに備える、Ｃ１６に記載のコンピュータプログラム製品：
前記アクセス端末において前記第１のキャリア上で前記第１の動作可能な状態についてのスケジュール情報を受信すること；および
前記アクセス端末において前記第２のキャリア上で前記第２の動作可能な状態についてのスケジュール情報を受信すること。
［Ｃ１９］
前記コンピュータプログラム製品は、前記アクセス端末を備える、Ｃ１６に記載のコンピュータプログラム製品。
［Ｃ２０］
複数の無線キャリア上での不連続アップリンク送信を確立するためのプロセッサであって、該プロセッサは下記を備える：
アクセス端末からの同時送信に使用可能な複数の無線キャリアの各キャリア上での不連続アップリンク送信に使用されるべき共通タイミングパラメータを識別するように構成されたパラメータコントローラ；
前記パラメータに結合され、下記を実行するように構成された第１のキャリア状態コントローラ； 
前記複数の無線キャリアのうちの第１のキャリアと関連付けられるべき第１の動作可能な状態を識別すること；および
前記第１のキャリアに、前記共通タイミングパラメータに従って、前記第１の動作可能な状態で動作させること； および
前記パラメータコントローラに結合され、下記を実行するように構成された第２のキャリア状態コントローラ：
前記複数の無線キャリアのうちの第２のキャリアと関連付けられるべき、前記第１の動作可能な状態とは異なる第２の動作可能な状態を識別すること；および
前記第２のキャリアに、前記共通タイミングパラメータに従って、前記第２の動作可能な状態で動作させること。
［Ｃ２１］
前記プロセッサは、通信的に、下記を実行するように構成されたメモリに結合される、Ｃ２０に記載のプロセッサ：
前記アクセス端末からの同時送信に使用可能な前記複数の無線キャリアの各キャリア上での不連続アップリンク送信に使用されるべき共通タイミングパラメータを記憶すること；および
前記アクセス端末において前記第１のキャリア上で前記第１の動作可能な状態についてのスケジュール情報を記憶し、前記アクセス端末において前記第２のキャリア上で前記第２の動作可能な状態についてのスケジュール情報を記憶すること。
［Ｃ２２］
前記プロセッサは、前記アクセス端末を備える、Ｃ２０に記載のプロセッサ。
［Ｃ２３］
複数の無線キャリア上での不連続アップリンク送信のための方法であって、該方法は、下記を備える：
アクセス端末からの同時送信に使用可能な複数の無線キャリアの各キャリア上での不連続アップリンク送信のために共通タイミングパラメータを確立すること；
前記複数の無線キャリアのうちの第１のキャリア上で前記アクセス端末についての第１の動作可能な状態を識別すること；および
前記複数の無線キャリアのうちの第２のキャリア上で前記アクセス端末についての、前記第１の動作可能な状態とは異なる第２の動作可能な状態を識別すること、ここにおいて、前記第１のキャリア上の前記第１の動作可能な状態は、前記第２のキャリア上の前記第２の動作可能な状態と同時に動作するようにスケジュールされる。
［Ｃ２４］
下記をさらに備えるＣ２３に記載の方法：
前記アクセス端末に、前記第１の動作可能な状態で前記第１のキャリア上で動作させ、且つ、同時に、前記第２の動作可能な状態で前記第２のキャリア上で動作させること。
［Ｃ２５］
前記第１の動作可能な状態はデータ送信状態を備え、
前記第２の動作可能な状態は、非アクティブデータ送信期間中の周期的バースト状態を備えるＣ２３に記載の方法。
［Ｃ２６］
前記第１の動作可能な状態は、非アクティブデータ送信期間中の第１の周期的バースト状態を備え、
前記第２の動作可能な状態は、非アクティブデータ送信期間中の第２の周期的バースト状態を備える、ここにおいて、前記第１の周期的バースト状態よりも前記第２の周期的バースト状態における複数のバースト間の持続時間は長い、
Ｃ２３に記載の方法。
［Ｃ２７］
前記第１の動作可能な状態および前記第２の動作可能な状態は、同期送信タイミングインターバルを有する、Ｃ２３に記載の方法。
［Ｃ２８］
前記共通タイミングパラメータを確立することは、非アクティブデータ送信期間中の前記第１のキャリアおよび前記第２のキャリアバースト送信に対して同一のバースト長を設定することを備える、Ｃ２３に記載の方法。
［Ｃ２９］
前記共通タイミングパラメータを確立することは、非アクティブデータ送信期間中の複数のバースト間の、同一の時間を設定することを備える、Ｃ２３に記載の方法。
［Ｃ３０］
前記共通タイミングパラメータを確立することは、下記を備える、Ｃ２３に記載の方法：
前記第１のキャリアおよび前記第２のキャリアに対して、第１の非アクティブデータ送信期間中の複数のバースト間の、同一の第１の時間を識別すること；および
前記第２のキャリアおよび前記第２のキャリアに対して、第２の非アクティブデータ送信期間中の複数のバースト間の、同一の第２の時間を識別すること。
［Ｃ３１］
前記共通タイミングパラメータを確立することは、同一の非アクティブ閾値を確立することを備える、ここにおいて、前記非アクティビティ閾値を超えることは、前記複数のキャリアのそれぞれのキャリアに対する非アクティブデータ送信期間中の複数のバースト間の時間を拡張する、Ｃ２３に記載の方法。
［Ｃ３２］
前記第１のキャリアおよび第２のキャリアを、それらが隣接キャリアであるため、選択することをさらに備える、Ｃ２３に記載の方法。
［Ｃ３３］
下記をさらに備える、Ｃ２３に記載の方法：
前記複数の無線キャリアのうちの第３のキャリアと関連付けられるべき前記第２の動作可能な状態を識別すること；および
前記第３のキャリアに、前記共通タイミングパラメータに従って、前記第２の動作可能な状態で動作させること。
［Ｃ３４］
下記をさらに備える、Ｃ２３に記載の方法：
前記第２のキャリアに、前記第２の動作可能な状態で動作させ、前記第３のキャリアに、同時に、前記第２の動作可能な状態で動作させること。
［Ｃ３５］
前記方法は、基地局コントローラによって実行される、Ｃ２３に記載の方法。
［Ｃ３６］
無線通信システムの基地局コントローラであって、該基地局コントローラは下記を備える：
有線通信ネットワークと通信するように構成されたネットワークインターフェース；
１つ以上のトランシーバ基地局と無線で通信するように構成されたトランシーバ基地局インターフェース；および
下記を記憶するメモリ：
アクセス端末からの同時送信に使用可能な複数の無線キャリアの各キャリア上での不連続アップリンク送信に使用されるべき共通タイミングパラメータ；
前記アクセス端末から不連続アップリンク送信を実行するための複数の動作可能な状態；および
下記を実行するように構成されたプロセッサ：
定義された持続時間の間、第１のアップリンク送信が、前記共通タイミングパラメータに従って、複数の動作可能な状態のうちの第１の動作可能な状態で、前記複数の無線キャリアのうちの第１のキャリア上で、前記アクセス端末から実行されるであろうことを識別すること；および
定義された持続時間の間、第２のアップリンク送信が、前記共通タイミングパラメータに従って、複数の動作可能な状態のうちの第２の動作可能な状態で、前記複数の無線キャリアのうちの第２のキャリア上で、前記アクセス端末から実行されるであろうことを識別すること。
［Ｃ３７］
前記プロセッサは、下記を実行するようにさらに構成される、Ｃ３６に記載の基地局コントローラ：
前記第１の動作可能な状態のスケジュール情報が、前記アクセス端末に送信されるようにすること：および
前記第２の動作可能な状態のスケジュール情報が、前記アクセス端末に送信されるようにすること。
【図１】
0005431569.tif 000003
【図２】
0005431569.tif 000004
【図３】
0005431569.tif 000005
【図４】
0005431569.tif 000006
【図５】
0005431569.tif 000007
【図６】
0005431569.tif 000008
【図７】
0005431569.tif 000009
【図８】
0005431569.tif 000010
【図９】
0005431569.tif 000011
【図１０】
0005431569.tif 000012
【図１１】
0005431569.tif 000013
【図１２】
0005431569.tif 000014
【図１３】
0005431569.tif 000015
【図１４】
0005431569.tif 000016